(57)【要約】  マーカー組成物及びこれを使用するパッケージ。マーカー組成物は、再帰反射性粒子及び分散媒を含み得、全マーカー組成物に基づいた再帰反射性粒子の混合比は５０〜９０質量％である。
2017534691.tif 000002
【特許請求の範囲】
【請求項１】
再帰反射性粒子と、分散媒と、を含み、
全マーカー組成物に基づいた前記再帰反射性粒子の混合比が５０〜９０質量％である、マーカー組成物。
【請求項２】
前記分散媒が、水と、水溶性ポリマーと、を含む、請求項１に記載のマーカー組成物。
【請求項３】
前記水溶性ポリマーが、水及びアルコールの両方に溶解するポリマーを含み、かつ
前記分散媒が、アルコールを更に含む、請求項２に記載のマーカー組成物。
【請求項４】
前記水溶性ポリマーがポリビニルピロリドンを含む、請求項２又は３に記載のマーカー組成物。
【請求項５】
前記水溶性ポリマーが部分的に架橋されたポリビニルピロリドンを含む、請求項２又は３に記載のマーカー組成物。
【請求項６】
前記マーカー組成物が湿潤剤を更に含む、請求項１〜５のいずれか一項に記載のマーカー組成物。
【請求項７】
前記再帰反射性粒子の平均粒径が１０〜１００μｍである、請求項１〜６のいずれか一項に記載のマーカー組成物。
【請求項８】
前記分散媒が水に溶解する分散媒である、請求項１に記載のマーカー組成物。
【請求項９】
前記分散媒の流動点が０〜６０℃である、請求項８に記載のマーカー組成物。
【請求項１０】
前記分散媒が非イオン性界面活性剤を含む、請求項８又は９に記載のマーカー組成物。
【請求項１１】
前記分散媒が、非イオン性界面活性剤と、軟化剤と、を含む、請求項８又は９に記載のマーカー組成物。
【請求項１２】
前記再帰反射性粒子の平均粒径が１０〜１００μｍである、請求項８〜１１のいずれか一項に記載のマーカー組成物。
【請求項１３】
請求項１〜１２のいずれか一項に記載のマーカー組成物と、
前記マーカー組成物を受け入れるためのレシーバーと、を含むパッケージ。
【請求項１４】
前記レシーバーが、
前記マーカー組成物を受け入れるための陥凹部を有するレシーバー部と、
前記陥凹部を密封するための開閉蓋部と、を含む、請求項１３に記載のパッケージ。
【発明の詳細な説明】
【技術分野】
【０００１】
本発明はマーカー組成物及びパッケージに関する。
【背景技術】
【０００２】
米国特許第７７１８３９５号は、清掃が十分に行われているかどうかを判定するための方法として、蛍光体を含む透明な指示薬の使用方法を開示する。この方法は、清掃される物体（例えば、テーブル、椅子等）に清掃前に指示薬をコーティングする工程と、清掃される物体の紫外線放射のために蛍光体から放出される光を感知することによって、指示薬が存在するかどうかを清掃後に判定する工程と、を含む。
【発明の概要】
【発明が解決しようとする課題】
【０００３】
清掃が十分に行われたかどうかの判定（すなわち、清浄度の判定）については、判定が単純な方法で可能であること、判定が広範囲にわたって可能であること、判定が高度に正確であること等が重要である。
【０００４】
本発明の１つの目標は、広範囲にわたり、単純な方法でその存在が感知可能であるマーカー組成物と、マーカー組成物を使用するパッケージと、を提供することである。
【課題を解決するための手段】
【０００５】
本発明の一態様は、再帰反射性粒子及び分散媒を含むマーカーであり、マーカー組成物の全体の量に基づいた再帰反射性粒子の混合比は５０〜９０質量％である。
【０００６】
本発明の別の態様では、分散媒は、水及び水溶性ポリマーを含んでよい。
【０００７】
本発明の更に別の態様では、水溶性ポリマーは、水及びアルコールの両方に溶解するポリマーを含んでよい。また、前述の分散媒はアルコールを更に含んでよい。
【０００８】
本発明の更に別の態様では、前述の水溶性ポリマーはポリビニルピロリドンを含んでよい。
【０００９】
本発明の更に別の態様では、前述の水溶性ポリマーは部分的に架橋されたポリビニルポロリドンを含んでよい。
【００１０】
本発明の更に別の態様では、前述のマーカー組成物は湿潤剤を更に含んでよい。
【００１１】
本発明の更に別の態様では、前述の再帰反射性粒子の平均粒径は、１０〜１００μｍであってよい。
【００１２】
本発明の更に別の態様では、分散媒は、水に溶解する分散媒であってよい。
【００１３】
本発明の更に別の態様では、分散媒の流動点は０〜６０℃であってよい。
【００１４】
本発明の更に別の態様では、分散媒は、非イオン性界面活性剤を含んでよい。
【００１５】
本発明の更に別の態様では、分散媒は、非イオン性界面活性剤及び軟化剤を含んでよい。
【００１６】
本発明の更に別の態様では、前述の再帰反射性粒子の平均粒径は、１０〜１００μｍであってよい。
【００１７】
本発明の別の態様では、前述のマーカー組成物と、マーカー組成物を受け入れるためのレシーバーと、で構成されるパッケージが提供される。
【００１８】
本発明の別の態様では、レシーバーは、マーカー組成物を受け入れるための陥凹部を有するレシーバー部と、陥凹部を密封するための開閉蓋部と、で構成されてよい。
【００１９】
本発明では、高い精密度で広範囲にわたり、単純な方法によってその存在が感知可能であるマーカー組成物と、マーカー組成物を使用するパッケージと、を提供することが可能である。
【図面の簡単な説明】
【００２０】
【図１】第３の実施形態のパッケージの一例を示す斜視図である。
【図２】図１に示されているパッケージの関連部分の断面図である。
【図３】第４の実施形態の塗布具の一例を示す斜視図である。
【図４】第４の実施形態の塗布具の別の例を示す斜視図である。
【図５】第５の実施形態の塗布具セットの一例を示す斜視図である。
【図６】図５に示されている塗布具セットの分解図である。
【図７】第６の実施形態の塗布具セットの一例を示す斜視図である。
【図８】実施例３のマーカー組成物が塗布されている紙片を示す、撮像光の照射がない状態の画像である。
【図９】実施例３のマーカー組成物が塗布されている紙片を示す、撮像光の照射がある状態の画像である。
【図１０】実施例７のマーカー組成物が塗布されている紙片を示す、撮像光の照射がない状態の画像である。
【図１１】実施例７のマーカー組成物が塗布されている紙片を示す、撮像光の照射がある状態の画像である。
【図１２ａ】実施例７のマーカー組成物が塗布されている紙片の画像を示しており、撮像光の照射のない状態を示し（図１２ａ〜１２ｂ）、更に撮像光の照射のある状態を示し（図１２ｃ〜１２ｄ）、図１２ｂ及び１２ｄは拡大下の紙を示している。
【図１２ｂ】実施例７のマーカー組成物が塗布されている紙片の画像を示しており、撮像光の照射のない状態を示し（図１２ａ〜１２ｂ）、更に撮像光の照射のある状態を示し（図１２ｃ〜１２ｄ）、図１２ｂ及び１２ｄは拡大下の紙を示している。
【図１２ｃ】実施例７のマーカー組成物が塗布されている紙片の画像を示しており、撮像光の照射のない状態を示し（図１２ａ〜１２ｂ）、更に撮像光の照射のある状態を示し（図１２ｃ〜１２ｄ）、図１２ｂ及び１２ｄは拡大下の紙を示している。
【図１２ｄ】実施例７のマーカー組成物が塗布されている紙片の画像を示しており、撮像光の照射のない状態を示し（図１２ａ〜１２ｂ）、更に撮像光の照射のある状態を示し（図１２ｃ〜１２ｄ）、図１２ｂ及び１２ｄは拡大下の紙を示している。
【図１３】実施例８のマーカー組成物が塗布されている紙片を示す、撮像光の照射がない状態の画像である。
【図１４】実施例８のマーカー組成物が塗布されている紙片を示す、撮像光の照射がある状態の画像である。
【図１５】実施例１２〜１４のマーカー組成物が塗布されている紙片を示す、撮像光の照射がない状態の画像である。
【図１６】実施例１２〜１４のマーカー組成物が塗布されている紙片を示す、撮像光の照射がある状態の画像である。
【図１７】実施例１５のマーカー組成物を使用して製造された塗布具と、実施例１５のマーカー組成物が塗布されている紙片と、を示す、撮像光の照射がない状態の画像である。
【図１８】実施例１５のマーカー組成物を使用して製造された塗布具と、実施例１５のマーカー組成物が塗布されている紙片と、を示す、撮像光の照射がある状態の画像である。
【図１９】実施例１６のマーカー組成物を使用して製造された塗布具と、実施例１６のマーカー組成物が塗布されている紙片と、を示す、撮像光の照射がない状態の画像である。
【図２０】実施例１６のマーカー組成物を使用して製造された塗布具と、実施例１６のマーカー組成物が塗布されている紙片と、を示す、撮像光の照射がある状態の画像である。
【図２１】実施例１５のマーカー組成物が塗布されている紙片を示す、撮像光の照射がない状態の画像である。
【図２２】実施例１５のマーカー組成物が塗布されている紙片を示す、撮像光の照射がある状態の画像である。
【図２３】実施例１８のマーカー組成物を使用して製造された塗布具と、実施例１８のマーカー組成物が塗布されている紙片と、を示す、撮像光の照射がない状態の画像である。
【図２４】実施例１８のマーカー組成物を使用して製造された塗布具と、実施例１８のマーカー組成物が塗布されている紙片と、を示す、撮像光の照射がある状態の画像である。
【図２５】実施例１９のマーカー組成物を使用して製造された塗布具と、実施例１９のマーカー組成物が塗布されている紙片と、を示す、撮像光の照射がない状態の画像である。
【図２６】実施例１９のマーカー組成物を使用して製造された塗布具と、実施例１９のマーカー組成物が塗布されている紙片と、を示す、撮像光の照射がある状態の画像である。
【図２７】実施例２０のマーカー組成物を使用して製造された塗布具と、実施例２０のマーカー組成物が塗布されている紙片と、を示す、撮像光の照射がない状態の画像である。
【図２８】実施例２０のマーカー組成物を使用して製造された塗布具と、実施例２０のマーカー組成物が塗布されている紙片と、を示す、撮像光の照射がある状態の画像である。
【図２９】実施例１８〜２０のマーカー組成物が塗布されている紙片を示す、撮像光の照射がない状態の画像である。
【図３０】実施例１８〜２０のマーカー組成物が塗布されている紙片を示す、撮像光の照射がある状態の画像である。
【図３１】実施例２０のマーカー組成物が塗布されている紙片を示す、撮像光の照射がない状態の画像である。
【図３２】実施例２０のマーカー組成物が塗布されている紙片を示す、撮像光の照射がある状態の画像である。
【図３３】実施例２１〜２３のマーカー組成物が塗布されている紙片を示す、撮像光の照射がない状態の画像である。
【図３４】実施例２１〜２３のマーカー組成物が塗布されている紙片を示す、撮像光の照射がある状態の画像である。
【図３５】実施例２４〜２６のマーカー組成物が塗布されている紙片を示す、撮像光の照射がない状態の画像である。
【図３６】実施例２４〜２６のマーカー組成物が塗布されている紙片を示す、撮像光の照射がある状態の画像である。
【図３７】実施例２７〜３０のマーカー組成物が塗布されている紙片を示す、撮像光の照射がない状態の画像である。
【図３８】実施例２７〜３０のマーカー組成物が塗布されている紙片を示す、撮像光の照射がある状態の画像である。
【図３９】実施例２２のマーカー組成物が塗布されている紙片を示す、撮像光の照射がない状態の画像である。
【図４０】実施例２２のマーカー組成物が塗布されている紙片を示す、撮像光の照射がある状態の画像である。
【発明を実施するための形態】
【００２１】
本発明のマーカー組成物、パッケージ、塗布具、塗布具セット、清浄度判定方法、及び清浄度判定システムの実施形態は、以下に詳述する。
【００２２】
［第１の実施形態：マーカー組成物］
第１の実施形態のマーカー組成物は、再帰反射性粒子及び分散媒を含み、分散媒は水及び水溶性ポリマーを含む。加えて、再帰反射性粒子の混合比は、マーカー組成物の全体の量に基づいた５０〜９０質量％である。ここで、「再帰反射性」という用語は、入射角の方向に入射光を逆反射する特性（properly）を指す。
【００２３】
再帰反射性粒子が再帰反射性を示す限り、再帰反射性粒子（すなわち、ビーズ）には特定の制限は課されない。再帰反射性粒子として使用される物体の例には、ガラス（ソーダ石灰ガラス、ホウケイ酸ガラス、及びチタン酸バリウムガラス等）及び高屈折率プラスチックが挙げられる。ガラスは、反射性の見地からの利点を持って使用され得る。
【００２４】
塗布可能性、安定性、貯蔵安定性、及び可視性の見地から、再帰反射性粒子の平均粒径は１０〜１００μｍ、２０〜９０μｍ、又は３０〜８０μｍに設定され得る。分散媒中の再帰反射性粒子の分散性は、再帰反射性粒子の平均粒径が前述の範囲内にあるときに更に向上し得る。また、再帰反射性粒子からの反射光の強さは、再帰反射性粒子の平均粒径が前述の範囲内にあるときに向上し得る。ここで、「平均粒径」という表現は、ＪＩＳ  Ｋ  ５６００−９−３（Ｔｅｓｔｉｎｇ  Ｍｅｔｈｏｄｓ  ｆｏｒ  Ｐａｉｎｔｓ−Ｐａｒｔ  ９：Ｃｏａｔｉｎｇ  Ｐｏｗｄｅｒｓ−Ｓｅｃｔｉｏｎ  ３：Ｐａｒｔｉｃｌｅ  Ｓｉｚｅ  Ａｎａｌｙｓｉｓ  ｂｙ  Ｌａｓｅｒ  Ｄｉｆｆｒａｃｔｉｏｎ）等に従って測定された平均粒径を意味する。
【００２５】
再帰反射性粒子として使用できる粒子は、「ＵＢ−２４Ｍ」及び「ＵＢ−３５Ｍ」（いずれもＵｎｉｔｉｋａ  Ｌｔｄ．製）、Ｂｅｅｋｏビーズ、Ｒａｍｂｏビーズ、Ｔｕｎｇビーズ等に例示される。
【００２６】
塗布可能性、可視性、及び反射性の見地から、全マーカー組成物における再帰反射性粒子の濃度は、７５〜９５重量％であってもよく、７５〜９０重量％であってもよく、又は７５〜８５重量％であってもよい。また、分散媒がアルコールを含まない場合、全マーカー組成物における再帰反射性粒子の濃度は、７０〜９０重量％であってもよく、又は７５〜８５重量％であってもよい。
【００２７】
分散媒に含まれる水には、特定の制限は課されず、本実施形態では、脱イオン水、蒸留水、超純水等が、分散媒に含まれる水としての利点を持って使用され得る。
【００２８】
塗布可能性の観点から、全マーカー組成物における含水量は、好ましくは３〜２５重量％であり、更に好ましくは４〜２０重量％であり、最も好ましくは８〜１４重量％である。分散媒がアルコールを含まない場合、全マーカー組成物における含水量は、好ましくは９．５〜１８重量％であり、更に好ましくは１５〜１７重量％である。
【００２９】
水溶性ポリマーが水溶性を有するポリマーである限り、分散媒に含まれる水溶性ポリマーには特定の制限は課されない。水溶性ポリマーには、ポリビニルピロリドン（以下、ＰＶＰに省略）、ポリビニルアルコール（以下、ＰＶＡに省略）、カルボキシビニルポリマー、アクリル酸メタクリル酸コポリマー等の合成ポリマー、メチルセルロース、ヒドロキシエチルセルロース、カルボキシメチルセルロース等のセルロース及びセルロース誘導体、澱粉、グアーガム、アルギニン酸塩、マンナン等のポリサッカライド及びポリサッカライド誘導体、ポリアクリル酸及びその誘導体、キサンタンガム、トラガカントガム、グアーガム等のガム、ヒアルロン酸及びその誘導体、ポリグルタミン酸及びその誘導体、及ぶその他同種のもの、並びに、物理的又は化学的に、部分的に架橋されているポリマーが挙げられる。更に、本仕様では、γ−線照射によるポリビニルピロリドンの架橋によって形成される水溶性ポリマーは、「γ−線架橋ポリビニルピロリドン」又は「Ｘ−ＰＶＰ」と呼ばれる。
【００３０】
塗布可能性及び急速乾燥可能性の見地から、全分散媒における水溶性ポリマーの含量は、３〜２０重量％であってもよく、４〜１０重量％であってもよく、又は４〜６重量％であってもよい。また、全マーカー組成物における水溶性ポリマーの濃度は、好ましくは０．８〜３重量％であり、更に好ましくは１〜２．５重量％であり、最も好ましくは１．５〜２．５重量％である。更に、分散媒がアルコールを含まない場合、全マーカー組成物における水溶性ポリマーの濃度は、好ましくは０．２〜４．５重量％であり、更に好ましくは０．５〜２．５重量％である。
【００３１】
水溶性ポリマーは好ましくは、水及びアルコールの両方に溶解するポリマーを含み、分散媒は好ましくはアルコールを更に含む。マーカー組成物の急速乾燥は、このような水溶性ポリマー及び分散媒によって更に改善され得る。
【００３２】
アルコールは、イソプロピルアルコール（「２−プロパノール」とも呼ばれ、以下、「ＩＰＡ」に省略される場合がある）、エタノール、メタノール、ｎ−プロパノール等によって例示される。更に、水及びアルコールの両方に溶解するポリマーは、ポリビニルピロリドン、γ−線架橋ポリビニルピロリドン、ポリビニルアルコール、ヒドロキシメチルセルロース、フタル酸ヒドロキシプロピルメチルセルロース等に例示される。
【００３３】
マーカー組成物の急速乾燥は、分散媒中にこれらの種類の水溶性ポリマー及びアルコールを含むことによって更に改善され得る。
【００３４】
塗布可能性及び急速乾燥可能性の見地から、全分散媒におけるアルコールの含量は、２０〜６０重量％であってもよく、３０〜６０重量％であってもよく、又は４５〜５５重量％であってもよい。また、全マーカー組成物におけるアルコールの含量は、好ましくは４〜１６重量％であり、更に好ましくは５〜１５重量％であり、最も好ましくは６〜１３重量％である。
【００３５】
水溶性ポリマーの好ましい態様は、ポリビニルピロリドン又はγ−線架橋ポリビニルピロリドンに例示される。かかる水溶性ポリマーの使用により、マーカー組成物に良好な粘度を付与することが可能であり、マーカー組成物の粘着性及び塗布可能性を高めることが可能である。このように、この態様のマーカー組成物の使用により、更に優れた保持可能性を取得することが可能である。例えば、マーカー組成物が天井又は壁の表面に塗布された場合、マーカー組成物の流出及び液だれを確実に抑制することが可能である。
【００３６】
再帰反射性粒子及び分散媒に加え、本実施形態のマーカー組成物は、湿潤剤を更に含んでよい。このようにしてマーカー組成物の蒸発を抑制することができ、マーカー組成物の貯蔵安定性を高めることができる。
【００３７】
湿潤剤は、グリセリン、プロピレングリコール、タンパク質、ムコ多糖、コラーゲン、エラスチン等に例示される。
【００３８】
全マーカー組成物における湿潤剤の濃度は、好ましくは０．１〜２重量％であり、更に好ましくは０．５〜１重量％であり、最も好ましくは０．７〜０．８重量％である。更に、分散媒がアルコールを含まない場合、全マーカー組成物における湿潤剤の濃度は、好ましくは０．３〜７．５重量％であり、更に好ましくは０．５〜５重量％である。
【００３９】
再帰反射性粒子及び分散媒に加え、本実施形態のマーカー組成物は、ｐＨ調節剤を更に含んでよい。分散媒に含まれるポリマー組成物の溶解度は、このようにして調節され得、マーカー組成物の塗布可能性を高めることが可能である。
【００４０】
ｐＨ調節剤は、水酸化ナトリウム、水酸化カリウム、炭酸ナトリウム、炭酸カリウム等に例示される。
【００４１】
本実施形態のマーカー組成物は、本発明の本質を損なわない範囲内で、他の添加剤（可塑剤、湿潤剤、界面活性剤、防腐剤等）を更に含んでよい。
【００４２】
マーカー組成物の非再帰反射性粒子成分（かかる成分のうちの２つ以上の種類が存在する場合は、成分の混合）の粘度は２５℃で、２，０００〜１００，０００ｃｐｓ、又は４，０００〜８０，０００ｃｐｓ、又は６，０００〜６０，０００ｃｐｓであってよい。マーカー組成物の接着強度及び塗布可能性は、前述の範囲内の粘度を有することによって改善され得る。ここで、「粘度」は、２５℃の環境で、Ｂタイプの粘度計（Ｔｏｋｙｏ  Ｋｅｉｋｉ  Ｉｎｃ．製、モデルＢＬ）を使用してＪＩＳＺ  ８８０３に基づいて測定された粘度と見なされる。
【００４３】
本実施形態のマーカー組成物は、再帰反射性粒子、水、水溶性ポリマー、及び必要に応じてアルコール、並びに更に必要に応じて湿潤剤等の添加剤のブレンドによって取得され得る。これらの構成成分のブレンド順序には、特定の制限は課されず、例えば、すべての構成成分を容器に給送してからブレンドすることも、あるいは、構成成分の一部をブレンドした後、その混合物に他の構成成分を添加してブレンドすることもできる。調製の好ましい方法は、初めに、分散媒に含まれる構成成分をブレンドすることによって分散媒を取得する工程と、次に、分散媒に再帰反射性粒子を添加してブレンドすることによってマーカー組成物を取得する工程と、からなる方法に例示される。これらの工程それぞれの処理条件は、適宜選択されてよい。なお、湿潤剤等の添加剤は、分散媒の調製時に添加されてよく、別の方法としては、添加剤を再帰反射性粒子と一緒に、又は再帰性粒子の添加後に分散媒に添加されてもよい。
【００４４】
更に、アルコールが使用される場合の、分散媒の調製方法の一例は、引火性溶媒用の密封容器で水及び水溶性ポリマーを混合する第１の工程と、第１の工程で取得した混合物にアルコールを添加して混合する第２の工程と、を含む方法である。
【００４５】
本実施形態のマーカー組成物によると、広範囲にわたり、単純な方法によって高い精度でマーカー組成物の有無を感知することが可能になる。
【００４６】
すなわち、前述のマーカー組成物は、分散媒に再帰反射性粒子を安定に維持することができ、広範囲にわたって容易に塗布され得る。また、塗布後、マーカー組成物は、水又は水アルコール等の混合液を含む清掃用品（すなわち、布、モップ等）を使用して拭くことにより、塗布領域から容易に除去され得る。更に、マーカー組成物の塗布及び除去中、マーカー組成物は自然照明又は室内照明のような光によって照らされる。しかしながら、清掃用品を持ち、清掃領域を清掃する人物の視線は通常、光の入射及び反射の方向とは異なるため、清掃用品を持ち、清掃領域を清掃する人物は通常、再帰反射性粒子からの反射光を視覚的に感知できない。
【００４７】
そのうえ、光が前述のマーカー組成物を照らすために使用される場合、かかる光は粒子表面上の光の入射位置とは無関係（すなわち、光の入射角とは無関係）の光源に向かって反射される。このように、反射は、正反射及び拡散反射と比較して、より広範な入射角から検出され得、検出された反射光の強度を高めることが可能である。なお、照明光は、再帰反射性粒子が再帰反射性であることを示す任意のタイプの光であってよい。このように、紫外放射蛍光体で塗布領域をコーティングしてから、紫外線放射で塗布領域を照らす場合に比べ、この方法は、照明灯の波長に関する光のタイプ、光源装置のタイプ等の選択において自由度が大きいという利点を有する。また、可視光が照明光として選択されている場合、撮像及び照明は、例えば標準のカメラ、カメラ付き携帯電話、カメラ付き多機能携帯電話（スマートフォン）等の撮像用の照明（フラッシュライト）を使用して実行され得る。取得した画像内の反射光の有無に基づいて、マーカー組成物の有無を判定することが可能である。
【００４８】
本実施形態のマーカー組成物の塗布は、病院、ホテル、レストラン等の施設での清掃時に、清浄度を判定するために使用される指標に例示される。特に病院には、様々な種類の病気に感染した患者が訪問している病院であるため、病院内で患者から別の患者への交差感染の危険がある。したがって、病院の内部を十分に清掃することに加え、病院内部の清掃が十分に行われているかどうかを高い精度で判定することが重要である。このような適用例における本実施形態のマーカー組成物は、広範囲でマーカー組成物の有無を検出する単純な方法により、高い精度で清浄度を感知できることから、非常に有用である。
【００４９】
［第２の実施形態：マーカー組成物］
第２の実施形態のマーカー組成物は、再帰反射性粒子及び水に溶解する分散媒を含む。
【００５０】
第１の実施形態の再帰反射性粒子と同じ粒子が、第２の実施形態の再帰反射性粒子として使用され得る。ここでは、重複する説明は省略する。
【００５１】
塗布可能性、可視性、及び反射性の観点から、第２の実施形態のマーカー組成物内の再帰反射性粒子の含有比率は、マーカー組成物の全体の質量に基づいて、好ましくは６０〜８０質量％、より好ましくは７０〜８０質量％、更により好ましくは７５〜８０質量％である。加えて、再帰反射性粒子の含有比率が上述の範囲内である場合、マーカー組成物はより簡単に拭き取ることができ、マーカー組成物はより広い温度範囲で使用することができる。
【００５２】
分散媒は、分散媒が水に溶解する限り、特に制限されない。分散媒は、室温（２５℃）でろう形状又は糊形状であってよい。ここで、「ろう形状」は、媒体が室温で固体形状又はろう形状であることを意味する。加えて、「糊形状」は、所定の外力（降伏応力）が室温で適用されない限りは流れない状態にあることを意味する（ビンガム流体形状）。
【００５３】
分散媒の流動点は、好ましくは０〜６０℃、より好ましくは１０〜５５℃、更により好ましくは２０〜４０℃である。流動点が上述の範囲内にある場合、マーカー組成物の粘度、接着強度、及び塗布可能性は更に改善され得る。ここで、「流動点」とは、ＪＩＳ  Ｋ  ２２６９に従って測定される流動点を指す。
【００５４】
再帰反射性粒子及び分散媒の質量比率は、９０：１０〜５０：５０、８５：１５〜５５：４５、又は８０：２０〜６０：４０に設定可能である。
【００５５】
［００５６］
分散媒は、好ましくは非イオン性界面活性剤を含む。結果として、マーカー組成物は、湿った布等を使用してより簡単に拭き取ることができる。非イオン性界面活性剤は、ジェル形状又は糊形状である限り、特に制限されない。例えば、ポリエチレングリコールタイプ又は多価アルコールタイプの非イオン性界面活性剤は、このような非イオン性界面活性剤として使用され得る。分散媒が軟化剤を含まない場合、非イオン性界面活性剤の流動点は、好ましくは０〜６０℃、より好ましくは１０〜５５℃、更により好ましくは２０〜４０℃である。
【００５６】
加えて、分散媒は、非イオン性界面活性剤及び軟化剤を含んでよい。結果として、マーカー組成物の粘度、接着強度、及び塗布可能性は、更に改善され得る。この場合、分散媒の流動点は、非イオン性界面活性剤のタイプ及び含有比率に従って、軟化剤のタイプ及び含有比率を適宜設定することにより、より簡単に調節され得る。したがって、分散媒に使用される非イオン性界面活性剤のタイプ及び含量の選択に関する自由度が広がる。例えば、６０℃を超える流動点を有する非イオン性界面活性剤に軟化剤を添加することにより、分散媒全体の流動点は好ましくは０〜６０℃、より好ましくは１０〜５５℃、更により好ましくは２０〜４０℃に設定され得る。加えて、同じくこの態様では、好ましくは０〜６０℃、より好ましくは１０〜５５℃、更により好ましくは２０〜４０℃の流動点を有する非イオン性界面活性剤を使用することが可能である。
【００５７】
非イオン性界面活性剤の例としては、ポリオキシエチレン、ポリオール、シロキサン、ポリオキシエチレンオレイルエーテル、ポリオキシエチレンラウリルエーテル、ポリオキシエチレンイソセチルエーテル、ポリオキシエチレン−ポリオキシプロピレンブロックコポリマー（商標名Ｐｌｕｒｏｎｉｃ、Ｔｗｅｅｎ、Ｐｏｌｏｘａｍｅｒ、及びＳｐａｎ）が挙げられる。これらのうちの１つのタイプを単独で使用してもよく、又は２つ以上のタイプを組み合わせて使用してもよい。
【００５８】
非イオン性界面活性剤の含有比率は、分散媒の全体の質量に基づいて、好ましくは３０〜１００質量％、より好ましくは４５〜１００質量％、更により好ましくは６０〜１００質量％である。
【００５９】
軟化剤は、分散媒を軟化する限りは特に制限されないが、例えば、４〜６０℃の液体形状の水溶性物資を使用してもよい。
【００６０】
軟化剤の例としては、グリセリン、ポリエチレングリコール、ポリプロピレングリコール、セスキオレイン酸ソルビタン、セスキイソステアリン酸ソルビタン、オレイン酸ソルビタン、イソステアリン酸ソルビタン、ソルビタンココエート、ポリソルベート８０、ラウリルアルコール、オレイルアルコール、フェノールエトキシレート、ポリエチレングリコールオレート、ポリオキシアルキレンエーテルトロエート（polyoxyalkylene ether toloate）、カプリリルグリコール、ジグリセリンラウリルエステル、ジグリセリンオレイルエステル、ヘキサグリセリンカプリリルエステル、及びデカグリセリンラウリルエステルが挙げられる。
【００６１】
軟化剤の含有比率は、分散媒の全体の質量に基づいて、好ましくは３〜５０質量％、より好ましくは２０〜４０質量％、更により好ましくは２５〜３５質量％である。
【００６２】
本実施形態のマーカー組成物は、自然に吸収された水分を除き、本質的に水を含まない非水性状態で使用され得る。自然水分吸収による含水量は、好ましくは最大で１０質量％、より好ましくは最大で５質量％、更により好ましくは最大で３質量％である。
【００６３】
本実施形態のマーカー組成物は、本発明の本質を損なわない範囲内で、他の添加剤（可塑剤、湿潤剤、界面活性剤、防腐剤等）を更に含んでよい。
【００６４】
本実施形態のマーカー組成物は、再帰反射性粒子、水に溶解する分散媒、及び必要に応じて軟化剤等の添加剤を混合することによって取得され得る。これらの構成成分のブレンド順序には、特定の制限は課されず、例えば、すべての構成成分を容器に給送してからブレンドすることも、あるいは、構成成分の一部をブレンドした後、その混合物に他の構成成分を添加してブレンドすることもできる。調製の好ましい方法は、初めに、分散媒に含まれる構成成分をブレンドすることによって分散媒を取得する工程と、次に、分散媒に再帰反射性粒子を添加してブレンドすることによってマーカー組成物を取得する工程と、からなる方法に例示される。これらの工程それぞれの処理条件は、適宜選択されてよい。なお、軟化剤等の添加剤は、分散媒の調製時に添加されてもよく、又は、再帰反射性粒子と一緒に、若しくは再帰反射性粒子の添加後に分散媒に添加されてもよい。
【００６５】
［第３の実施形態：パッケージ］
第３の実施形態のパッケージは、マーカー組成物と、マーカー組成物を受け入れるためのレシーバーと、を含む。この態様によると、マーカー組成物は容易に持ち運ぶことができる。第１の実施形態又は第２の実施形態のマーカー組成物は、第３の実施形態のマーカー組成物として使用され得る。
【００６６】
図１は、本実施形態のパッケージの例を示す傾斜斜視図である。更に、図２は、図１に示されるパッケージの関連部分の断面図である。
【００６７】
パッケージ１０は、マーカー組成物１２と、マーカー組成物を受け入れるためのレシーバー１４と、蓋部１９と、からなる。
【００６８】
レシーバー１４には、陥凹部１６を有する複数のレシーバー部１８が形成され、マーカー組成物１２は陥凹部１６のそれぞれに受け入れられる。複数のレシーバー部１８は、互いに分離されることが可能になるように結合される。陥凹部１６の開口部を覆うことにより、蓋部１９はレシーバー部１８を密閉し、蓋部１９の剥離又は破壊によってレシーバー部１８を開くことができるように、蓋部１９はレシーバー１４に取り付けられる。断裂部１９ａは、隣接するレシーバー部１８の結合部分に対応する位置にある、この蓋部１９に配置される。陥凹部１６のサイズ及び形状は、陥凹部１６との組み合わせに使用される塗布具本体の形状によって適宜選択されてよい。例えば、商業的に販売された綿棒が塗布具本体として使用される場合、開口部の直径は５〜３０ｍｍに設定されてよく、奥行きは２〜１０ｍｍに設定されてよい。
【００６９】
蓋部１９がレシーバー１４に取り付けられている状態では、蓋部１９がレシーバー部１８を密封し、マーカー組成物１２が外気から遮蔽され、そのため、マーカー組成物１２の貯蔵安定性を高めることができる。なお、マーカー組成物１２は、この状態でパッケージ１０から持ち運ぶことで持ち運びが容易になり、レシーバー１４からマーカー組成物１２の漏れを防止することと、皮膚、衣類等へのマーカー組成物１２の付着を防止することと、が可能である。例えば、蓋部１９は、熱融着フィルムであってよい。
【００７０】
マーカー組成物１２は、蓋部１９を剥離又は破壊してレシーバー部１８を開放してから、マーカー組成物１２をパッケージ１０から取り出すことによって塗布され得る。蓋部１９の剥離若しくは破壊は、個々のレシーバー部１８に対して行われてよく、又は剥離若しくは破壊は、複数のレシーバー部１８に対応する蓋部１９の一部に対して実行されてもよい。
【００７１】
また、レシーバー部１８の一部と、レシーバー部１８の一部に対応する蓋部１９の一部と、を統合する単一体は、パッケージ１０から分離することによって使用され得る。
【００７２】
パッケージ１０の製造方法では、例えば、マーカー組成物１２が開いた状態の陥凹部１６に給送されるように、ポンプに連結された充填ノズルからマーカー組成物１２を給送し、その後、陥凹部１６の開口部を覆って、レシーバー部１８を密封するために蓋部１９をレシーバー１４に取り付ける。レシーバー部１８へのマーカー組成物１２の給送時の処理条件（すなわち、マーカー組成物１２の給送速度、プロセス温度等）は、マーカー組成物１２の物理特性（例えば、粘度、流量特性等）と、レシーバー部１８の形状、容量等に従って適宜選択されてよい。
【００７３】
本実施形態によるパッケージは、前述の態様に制限されず、様々な変更例が可能である。例えば、パッケージは、単一のレシーバー部を有しても、複数のレシーバー部を有してもよい。パッケージが複数のレシーバー部を有する場合、単一パッケージ当たりのレシーバー部の数は、例えば２〜３０であってよい。
【００７４】
更に、パッケージが複数のレシーバー部を有する場合、隣接するレシーバー部と蓋部の断裂部との間の結合部分の形状には、特定の制限は課されず、これらの部分は線形状、曲線形状、鋸歯形状等を有してよい。
【００７５】
更に、パッケージに提供されるレシーバー部の形状が、マーカー組成物を受け入れることを可能とする限り、この形状には特定の制限は課されない。陥凹部の開口部の形状には特定の制限は課されず、この形状は、円形、楕円形、又は多角形（例えば、三角形、正方形等）であってよい。なお、星形開口部を提供することによって、流行性が付与されてもよい。
【００７６】
［第４の実施形態：塗布具］
第４の実施形態の塗布具は、マーカー組成物と、マーカー組成物を保持できる塗布具と、とともに提供される。マーカー組成物は、このようにして容易に塗布され得る。ここで「保持」は、塗布具本体内部にマーカー組成物を収容すること又は貯蔵することを含む。加えて、第１の実施形態又は第２の実施形態のマーカー組成物は、第４の実施形態のマーカー組成物として使用され得る。
【００７７】
前述の塗布具本体は、多孔性であってよい。このようにして、塗布具本体によるマーカー組成物の保持可能性が良好となり、マーカー組成物を塗布する能力を更に改善することが可能である。
【００７８】
前述の塗布具本体は、塗布具本体内部で相互連結されたセルを有してよい。塗布具本体内部のマーカー組成物は、このようにして容易に移動させることができ、したがって、マーカー組成物は塗布具本体によってより均一の方法で保持されるようになる。このように、この塗布具は、マーカー組成物をより均一に塗布することが可能である。
【００７９】
前述の相互連結されたセルのセル数は、好ましくは２５ｍｍ当たり１５〜１００であり、更に好ましくは２５ｍｍ当たり２５〜７０であり、最も好ましくは２５ｍｍ当たり３５〜４５である。その結果、マーカー組成物の移動可能性（塗布具本体へのマーカー組成物の充填しやすさ、マーカー組成物の塗布しやすさ等）と、塗布器本体内のマーカー組成物の保持可能性と、がバランスよく改善され得る。このように、この態様の塗布具は、塗布具が繰り返し使用される場合でも、より高い均一性を伴うマーカー組成物の塗布が可能である。本仕様では、「セル数」という用語は、２５ｍｍ当たりのセルの数を示す。
【００８０】
前述の塗布具は、前述の塗布具本体の少なくとも一部が露出されるように、前述の塗布具本体を保持するための保持本体と、前述の塗布具本体の露出部の密封用に、前述の保持本体に取り外し可能に取り付けられた蓋本体と、で更に構成されてよい。マーカー組成物の長期貯蔵は、このようにして可能になる。
【００８１】
図３は、本実施形態の塗布具の一例を示す傾斜斜視図である。塗布具２０は、マーカー組成物２２と、マーカー組成物２２を受け入れるためのレシーバー２４と、レシーバー２４を覆うための蓋本体２６と、マーカー組成物２２を保持できる塗布具本体２８と、蓋本体２６の露出面側を保護するための保護本体２９と、で構成される。
【００８２】
複数の凹形状のレシーバー部２４ａは、マーカー組成物２２を受け入れるためのレシーバー２４に形成される。マーカー組成物２２は、レシーバー部２４ａのそれぞれに受け入れられる。レシーバー部２４ａの開口側を覆うための蓋本体２６は、レシーバー２４に取り付けられる。レシーバー部２４ａは、この蓋本体２６によって密封される。レシーバー部２４ａの形状及びサイズは、塗布具本体２８の形状によって適宜選択されてよい。例えば、商用の綿棒が塗布具本体２８として使用される場合、開口部の直径は３〜２０ｍｍに設定されてよく、奥行きは３〜２０ｍｍに設定されてよい。レシーバー２４は、例えば、商用のマイクロプレートであってよい。なお、レシーバー２４のレシーバー部２４ａの数は、単一のレシーバー部２４ａであってよい。
【００８３】
塗布具本体２８は、支持部２８ａと、支持部２８ａの遠位先端でマーカー組成物２２を保持できる塗布部２８ｂと、を有する。塗布具本体２８は、例えば、商用の綿棒であってよい。
【００８４】
蓋本体２６は、レシーバー部２４ａを密封するが、蓋本体２６は、塗布具本体２８の塗布部２８ｂで圧するなどの方法により、容易に破壊することができる。レシーバー部２４ａ内部のマーカー組成物２２は、塗布具本体２８の塗布部分２８ｂに容易に付着され得る。蓋本体２６はこの方法で容易に破壊され得るが、保護本体２９による蓋本体２６の保護により、塗布具２０を安全に持ち運ぶことが可能である。蓋本体２６は、例えば、熱融着フィルムである。
【００８５】
塗布具２０は、例えば、ポンプに連結された充填ノズルから開いた状態のレシーバー部２４ａへマーカー組成物２２を給送し、その後、レシーバー部２４ａの開口部分を覆うように、レシーバー２４に蓋本体２６を取り付けるなどの方法によって製造され得る。レシーバー部２４ａへのマーカー組成物２２の給送時の処理条件（例えば、マーカー組成物２２の給送速度、処理温度等）は、マーカー組成物２２の物理特性（例えば、粘度、流量特性等）と、レシーバー２４の形状、容量等に従って適宜選択されてよい。
【００８６】
図４は、本実施形態の塗布具の別の例を示す傾斜斜視図である。塗布具３０は、マーカー組成物を保持できる塗布具本体３２と、塗布具本体３２を保持するための保持本体３４と、塗布具本体３２を密封するための蓋本体３６（保持本体３４に取り外し可能に取り付けられた）と、保持本体３４と蓋本体３６との間の隙間を封止するための封止構成部品３８（保持本体３４上に装着）と、で構成される。塗布具本体３２は、多孔性材料から構成され、マーカー組成物は、塗布具本体３２内部に保持される。つまり、図４に示されている塗布具３０の塗布具本体３２は、マーカー組成物の塗布具本体としての元の機能に加え、マーカー組成物を内部に収容又は貯蔵するための保持本体としての機能を提供する。
【００８７】
多孔性物体（例えば、スポンジ）は、塗布具本体３２として使用され得る。塗布具本体３２は好ましくは、塗布具本体３２の内部に相互連結されたセルを有し、このような相互連結されたセルのセル数は好ましくは２５ｍｍ当たり３０〜１００である。
【００８８】
保持本体３４及び蓋本体３６の物体には、特定の制限は課されず、この物体は金属、プラスチック、ガラス等であってよい。更に、保持本体３４及び蓋本体３６は、透明であっても色付きであってもよい。
【００８９】
例えば、Ｏリングは、封止構成部品３８として使用され得る。封止構成部品３８物体には、特定の制限は課されず、この物体はゴム等であってよい。更に、封止構成部品３８は、透明であっても色付きであってもよい。
【００９０】
雄ネジ部３４ａは、保持本体３４の側部外壁面の塗布具本体３２側に配置され、雌ネジ部３６は、蓋本体３６の内壁面の開口側の領域に配置される。この態様によると、塗布具本体３２の密封と、保持本体３４への蓋本体３６の取り付けは、雄ネジ部３４ａ及び雌ネジ部３６ａを合わせて締めることによって可能であり、マーカー組成物の貯蔵安定性が向上さえ得る。また、保持本体３４は、保持本体３４が図４のＡ軸に沿って垂直面にスライスされると、雄ネジ部３４ａが配置されている部分の断面積が、雄ネジ部３４ａが配置されていない部分の断面積よりも小さくなる。封止構成部品３８はリング形状を有し、封止構成部品３８の内側の外壁面は、雄ネジ部３４ａが配置されている保持本体３４の部分の外壁面に適合することができる。雄ネジ部３４ａが配置されている保持本体３４の部分と、雄ネジ部３４ａが配置されていない部分との間の中間面に接触するように、封止構成部品３８は、雄ネジ部３４ａが配置されている保持本体３４の部分の側部外壁面に適合することによって装着される。蓋本体３６が保持本体３４に装着されると、封止構成部品３８は、蓋本体３６と、保持本体３４の前述の中間面との間に挟まれ、保持本体３４と蓋本体３６との間の隙間がふさがれる。このように、塗布具本体３２の密封用スペースの気密性を高めることができる。このように、この態様によると、マーカー組成物の劣化、蒸発等が効果的に抑止され得、マーカー組成物の貯蔵安定性を更に高めることができる。また、この条件で塗布具を持ち運ぶことによって、マーカー組成物は容易に移送されるようになり、塗布具本体３２からのマーカー組成物の漏れを防止することと、皮膚、衣類等へのマーカー組成物の付着を防止することと、が可能である。
【００９１】
また、マーカー組成物の塗布時に、雄ネジ部３４ａ及び雌ねじ部３６ａを緩めて外すことにより、蓋本体３６は保持本体３４から分離されるようになり、塗布具本体３２を開けることが可能である。
【００９２】
また、図４に示されている塗布具の保持本体に蓋本体を取り付ける方法では、保持本体の外壁面及び蓋本体の内壁面がそれぞれおよそ同じ断面形状（図４のＡ軸に沿って垂直にカットされた断面で見た場合）を有する形状等、保持本体及び蓋本体を結合することができる、任意の形状を使用してよい。また、保持本体に対して蓋本体を外れ止めすることができる形状を形成するため、蓋本体の内壁面に適合できる突出部も、保持本体の外壁面等に配置され得る。これらの取り付け手段に、保持本体と蓋本体との間の隙間を封止するための封止構成部品も使用することによって、塗布具本体の密封用スペースの気密性を更に高めることが可能である。
【００９３】
塗布具３０がマーカー組成物の塗布に使用される場合、例えば、保持本体３４の側部が把持され、塗布具本体３２の露出部が塗布ターゲットの表面に押し付けられるか、あるいは、塗布具３０が塗布ターゲットと接触した状態で回転され、それによってマーカー組成物が塗布ターゲットの表面に付着又は移動され得る。このタイプの塗布では、スタンプ型塗布具として塗布具３０を使用する。この方法によると、塗布ターゲットの表面に、塗布本体３２の表面に接触する塗布ターゲットの部分の形状に対応する、単一又は複数の塗布領域が形成され得る。
【００９４】
更に、塗布具本体３２の露出部は、塗布ターゲットの表面に押し付けられながら、塗布ターゲットの表面に沿って移動されることで、マーカー組成物の塗布を実行し得る。この方法によると、塗布ターゲットの面上にストリップ形状の塗布領域を形成することが可能であり、マーカー組成物を使用して、塗布ターゲットの面上の特定の領域を完全にコーティングすることが可能である。
【００９５】
塗布具３０の形状及びサイズは、手軽な携帯性、塗布時の把持しやすさ、蓋本体３６の保持本体３４への取り付けやすさ、保持本体３４からの蓋本体３６の取り外しやすさ等を考慮するうえで適宜選択されてよい。例えば、図４のＡ軸に沿った塗布具３０の全長は、１０〜５０ｍｍに設定されてよく、図４のＡ軸の垂直面に沿って塗布具３０をスライスすることにより取得される断面図の直径は、５〜３０ｍｍに設定されてよい。
【００９６】
塗布具３０の製造方法は、例えば、マーカー組成物を使用して塗布具本体３２を充填する工程と、マーカー組成物で充填された塗布具本体３２を保持本体３４に取り付ける工程と、保持本体３４に蓋本体３６を取り付ける工程と、で構成される。
【００９７】
また、マーカー組成物を使用して塗布具本体３２を充填する方法では、例えば、ポンプに連結された充填ノズルを通って、塗布具本体３２にマーカー組成物を給送してよい。この方法の処理条件（例えば、マーカー組成物の給送速度、マーカー組成物の加圧、処理温度等）は、マーカー組成物の物理特性（例えば、粘度、流量特性等）、塗布具本体３２の物理特性（例えば、相互連結されたセルのサイズ及びセル数等）等に従って適宜選択されてよい。充填中は必要に応じて、加熱されたマーカー組成物が塗布具本体３２に給送されてよい。また、塗布具本体３２が振動させられている間に、マーカー組成物が塗布具本体３２に給送される場合、塗布具本体３２にマーカー組成物を容易に充填することと、塗布具本体３２の内部にマーカー組成物を分散させることと、が可能である。なお、マーカー組成物で充填された塗布具本体３２の表面は、研削処理を受け得る。
【００９８】
本実施形態の塗布具は、前述の態様に制限されず、様々な改良例が可能である。例えば、図３に示されている塗布具のレシーバー部は、単一のレシーバー部であっても複数のレシーバー部であってもよい。塗布具が複数のレシーバー部を有する場合、単一の塗布具当たりのレシーバー部の数は、例えば２〜２０であってよい。
【００９９】
また、図４に示されている塗布具の塗布具本体の密封方法では、図４のＡ軸に垂直にスライスされた場合とおよそ同じ断面形状をそれぞれ有する、蓋本体の内壁面及び保持本体の外壁面等を使用して、保持本体及び蓋本体を結合することができる形状を使用してよい。また、塗布具は、保持本体への蓋本体の取り外し可能な取り付けを可能にするためのネジ型の締結具を有してよい。なお、保持本体と蓋本体との間の隙間を封止するための封止構成部品を使用することによって、塗布具本体の密封用スペースの気密性を更に高めることが可能である。また、塗布具の貯蔵時にマーカー組成物の貯蔵安定性が大きく高まることにより、高度に密封された容器（例えば、袋、ハウジング等）に塗布具を挿入することによる貯蔵が許容される。
【０１００】
塗布具の塗布具本体がマーカー組成物を内部に収容又は貯蔵する保持器としての機能を有しない場合、マーカー組成物は、マーカー組成物を収容又は貯蔵する容器（リザーバ）から塗布具本体にマーカー組成物を供給することによって塗布され得る。ただし、例えば、マーカー組成物が塗布具等を使用する病院の複数の病室に塗布される場合、使用時に塗布具本体若しくはリザーバ内部のマーカー組成物の汚染がない、又は他の場所で汚染された塗布具の使用による病原体の蔓延がないように、十分注意することが必要である。加えて、例えば、塗布具を過失により床に落とした結果、リザーバが損傷した場合、汚染されたマーカー組成物が散乱し、広い範囲に病原体が拡散する原因となり得るため、塗布具を取り扱うときは十分な注意が必要とされる。これは、図４に示された塗布具が使用される場合、複数の塗布具があらかじめ調製され、他の塗布具を使用して他の病室においてマーカー組成物の塗布が成されている間に、所定の病室で使用される塗布具の塗布具本体が、使用後に蓋で封止されるか、病室に貯蔵されるか、又は使用後に破棄され、それによって汚染された塗布具による病原体の蔓延を防止できる、という利点を有する。なお、図４に示された塗布具では、マーカー組成物は塗布具本体内部に保持される。したがって、塗布具を過失により床に落とす等をした場合でも、マーカー組成物が散乱することを起こり難く、病原体の蔓延を防止する観点から有用である。
【０１０１】
［第５の実施形態：塗布具セット］
第５の実施形態の塗布具セットは、マーカー組成物と、マーカー組成物を保持できる塗布具本体を有する複数の塗布具と、を含む。塗布具は、対応の塗布具本体を保持するための保持本体を有する。保持本体は、塗布具本体の少なくとも一部が露出されるように、塗布具本体を保持するための保持部と、他の塗布具の保持部に取り外し可能に取り付けることができ、かつ、他の塗布具の塗布具本体の露出部を密封できる蓋部と、を含む。第１の実施形態又は第２の実施形態のマーカー組成物は、第５の実施形態のマーカー組成物として使用され得る。
【０１０２】
前述の複数の塗布具間の塗布具のうちの１つは、他の塗布具と区別されることができてよい。この場合、塗布具セットで提供されるすべての塗布具が使用されたかどうかを容易に判定すること（すなわち、塗布具セットの使用を終了するまでの時間の判定）が可能である。また、複数の塗布具のそれぞれは、他の塗布具と区別されることができてよい。この場合、異なる場所、使用法等に応じて複数の塗布具のうちの異なる塗布具を使用することが容易になる。塗布具間を区別する手段には、特定の制限は課されないが、かかる手段は、他の塗布具と異なるように塗布具の少なくとも一部の色、材料、形状（例えば、凹面）等を使用することと、塗布具へのマーカーの適用と、に例示される。
【０１０３】
図５は、本実施形態の塗布具セットの一例を示す傾斜斜視図である。更に、図６は、図５に示されている塗布具セットの分解図である。塗布具セット１００は、塗布具４０、５０、６０、７０、及び８０、並びに蓋本体９０で構成される。今後、塗布具４０及び５０、並びに蓋本体９０は、隣接する要素の関係を詳細に説明する例として使用されるが、塗布具４０、５０、６０、７０、及び８０の構成並びに形状（上述のとおり、塗布具間を区別できる手段が適用される場合、これらは、この手段以外の部分の構成及び形状である）は、互いに同一であり得る。
【０１０４】
塗布具４０は、塗布具本体４２と、塗布具本体４２の保持用の保持本体４４と、保持本体４４と蓋本体９０との間の隙間を封止するために保持本体４４に取り付けられた封止構成部品４５と、で構成される。塗布具本体４２に近い側にある保持部４６と、塗布具本体４２から遠い側にある蓋部４８と、は保持本体４４に配置される。保持部４６は、保持本体４４が図６のＢ軸の垂直面に沿った特定の位置でスライスされた場合に、塗布具本体４２から離れた先端部の断面積が、塗布具本体４２に近い先端部の断面積よりも大きくなるような形状を有し、また、保持部４６は、蓋本体９０の開口部に適合するような、かつ、これを十分に密封するような形状を有する。封止構成部品４５はリング形状を有しており、封止構成部品４５の内側の外壁面は、保持部４６の側部外壁面に適合することができる。封止構成部品４５は、保持部４６と蓋部４８との間の中間面と接触可能に作製され、保持部４６の側部外壁面と組み合わせることで取り付けられる。蓋本体９０が保持本体４６に組み合わされると、封止構成部品４５は、蓋本体９０と、保持本体４４の前述の中間面との間に挟まれ、保持本体４４と蓋本体９０との間の隙間がふさがれるので、塗布具本体４２を密封するためのスペースの気密性を高めることが可能である。また、蓋部４８の開口部は、隣接する塗布具５０及びその保持部５６とぴったり適合し、密封することができる形状を有する。蓋部４８を保持部５６に組み合わせると、塗布具５０の封止構成部品５５が、保持本体５４と蓋部５８との間の隙間を封止するため、塗布具本体５２の密封用スペースの気密性が高まり得る。この手段により、塗布具４０及び蓋本体９０は、良好に密封された状態で取り外し可能に取り付けられた方法で連結され得、塗布具４０及び塗布具５０は、良好に密封された状態で取り外し可能に取り付けられた方法で連結され得、マーカー組成物の貯蔵安定性を高めることが可能である。また、この状態で塗布具を持ち運ぶことによって、マーカー組成物は容易に移送され得、塗布具本体４２及び５２からのマーカー組成物の漏れを防止することが可能であり、皮膚、衣類等へのマーカー組成物の付着を防止することが可能である。
【０１０５】
また、マーカー組成物の塗布中に蓋本体９０から塗布具４０を分離することによって、塗布具本体４２を開けることが可能であり、塗布具本体４２に保持されたマーカー組成物を塗布することが可能である。
【０１０６】
例えば、塗布具４０、５０、６０、７０、及び８０が結合されている状態で、塗布具セット１００の側部を把持することにより、遠位先端位置にある塗布具４０の塗布具本体４２の露出部分を塗布ターゲットの表面に単純に押し付けることによって、塗布ターゲットの表面にマーカー組成物を付着又は移動させることが可能である。この塗布方法では、スタンプ型塗布具として塗布具セット１００を使用し、また、この方法によると、塗布ターゲットの表面に接触する塗布具本体４２の一部の形状に対応する１つ又は複数の塗布領域を形成することが可能である。
【０１０７】
また、マーカー組成物は、露出部分が塗布ターゲットに押し付けられた状態での、塗布ターゲットの表面に沿った塗布具本体４２の露出部分の移動によって塗布され得る。この方法によると、塗布ターゲットの面上にストリップ形状の塗布領域を形成することが可能であり、マーカー組成物を使用して、塗布ターゲットの面上の特定の領域を完全にコーティングすることが可能である。
【０１０８】
なお、マーカー組成物の塗布後、塗布具５０の塗布具本体５２を開けるために、使用された塗布具４０は隣接する塗布具５０から分離されてよく、使用された塗布具４０は、塗布具セット１００の他方の先端に位置付けられた塗布具８０に結合されてよい。次に、塗布具本体５２の露出部を塗布ターゲットの表面に押し付けることにより、塗布具本体５２に保持されたマーカー組成物を塗布することが可能である。この方法では、マルチスタンプ型の塗布具として、塗布具セット１００を使用する。例えば、病院の内科病棟内での使用時に、病原菌が塗布具４０の塗布具本体４２に付着するようになっても、塗布具本体４２は塗布具８０の蓋部８８によって密封されており、そのため、他の病棟への病原体の蔓延を防止することが可能である。加えて、所定の病室で使用された塗布具４０を使用後に室内に貯蔵又は破棄して、塗布具４０が分離された塗布具セット１００を使用して他の病室でマーカー組成物を塗布することにより、汚染された塗布具による病原体の蔓延がまた防止され得る。
【０１０９】
塗布具セット１００の形状及びサイズは、移送しやすさ、塗布時の握りやすさ、塗布具４０、５０、６０、７０、及び８０、並びに蓋本体９０等の取り付け／取り外ししやすさといった要素を考慮した上で適宜選択されてよい。例えば、図６のＢ軸を含む垂直面沿いに塗布具セット１００をカットすることによって取得される断面の直径は、５〜２０ｍｍに設定されてよく、図６のＢ軸沿いの塗布具セットの全長は、１０〜５０ｍｍに設定されてよい。
【０１１０】
また、保持本体４４、５４、６４、７４、８４、及び蓋本体９０の材料には、特定の制限は課されず、この材料は金属、プラスチック、ガラス等であってよい。また、保持本体４４、５４、６４、７４、８４、及び蓋本体９０は、透明であっても色付きであってもよい。
【０１１１】
例えば、Ｏリングは、封止構成部品４５、５５、６５、７５、及び８５として使用され得る。封止構成部品４５、５５、６５、７５、及び８５の物体には、特定の制限は課されず、この物体は透明であっても色付きであってもよい。
【０１１２】
塗布具セット１００の製造方法は、マーカー組成物を使用して塗布具本体４２、５２、６２、７２、及び８２のそれぞれを充填する工程と、マーカー組成物によって充填された塗布具本体４２、５２、６２、７２、及び８２を保持本体４４、５４、６４、７４、及び８４にそれぞれ取り付けて、塗布具４０、５０、６０、７０、及び８０をそれぞれ取得する工程と、塗布具４０、５０、６０、７０、及び８０、並びに蓋本体９０を結合する工程と、を含む方法に例示される。
【０１１３】
また、マーカー組成物を使用して塗布具本体４２、５２、６２、７２、及び８２を充填する方法は、ポンプに連結された充填ノズルを通って、塗布具本体４２、５２、６２、７２、及び８２にマーカー組成物を給送する方法に例示される。この方法の処理条件（例えば、マーカー組成物の給送速度、マーカー組成物の加圧、処理温度等）は、マーカー組成物の物理特性（例えば、粘度、流量特性等）、塗布具本体３２の物理特性（例えば、相互連結されたセルのサイズ及びセル数等）等に従って適宜選択されてよい。充填中は必要に応じて、加熱したマーカー組成物が塗布具本体４２、５２、６２、７２、及び８２に給送されてよい。また、塗布具本体４２、５２、６２、７２、及び８２が振動させられている間に、マーカー組成物が塗布具本体４２、５２、６２、７２、及び８２に給送される場合、塗布具本体４２、５２、６２、７２、及び８２にマーカー組成物を容易に充填することと、塗布具本体４２、５２、６２、７２、及び８２の内部にマーカー組成物を分散させることと、が可能である。なお、マーカー組成物で充填された塗布具本体４２、５２、６２、７２、及び８２の表面は、研削処理を受け得る。
【０１１４】
本実施形態の塗布具セットは、前述の態様に制限されず、様々な種類の変更例が可能である。例えば、第４の実施形態の塗布具と同じ方法で、別個の塗布具間を連結する手段、及び塗布具と蓋本体との間を連結する手段では、塗布具の保持部に雄ネジ部を配置し、塗布具の蓋本体及び蓋部に雌ネジ部を配置し、これらのネジ付き部材を合わせて締めることで取り付けを実行し得る。また、蓋部は、蓋部の内壁面との外れ止めが可能な突出部分を有する保持部の外壁面を提供することで、保持部との外れ止めができるように形作られてよい。このような結合手段によって、保持部と蓋部との間の隙間を封止するための封止構成部品を使用することと、塗布具本体の密封用スペースの気密性を更に高めることと、が可能である。また、塗布具及び蓋本体はそれぞれ、塗布具及び蓋本体の相互に取り外し可能な取り付けを可能にするための締結具を有してよい。なお、塗布具セットは、塗布具セットの貯蔵時にマーカー組成物の貯蔵安定性を更に高めるため、高度に密封された容器（例えば、袋、ハウジング等）に挿入され、貯蔵されてよい。
【０１１５】
加えて、塗布具セットの塗布具の数には、特定の制限は課されず、単一の塗布具セットは１〜２０個の塗布具を有してよい。
【０１１６】
［第６の実施形態：塗布具セット］
第６の実施形態の塗布具セットは、マーカー組成物と、マーカー組成物を保持できる塗布具本体を有する複数の塗布具と、とともに提供される。それぞれの塗布具には、塗布具本体の少なくとも一部が露出されるように、塗布具本体を保持するための保持本体と、塗布具本体の露出部分を密封するために、保持本体に取り外し可能に取り付けられた蓋本体と、が更に装備される。加えて、上述の塗布具セットには、複数の塗布具を一体的に固定するための固定部材が更に装備される。第１の実施形態又は第２の実施形態のマーカー組成物は、第６の実施形態のマーカー組成物として使用され得る。
【０１１７】
前述の複数の塗布具間の塗布具のうちの１つは、他の塗布具と区別されることができてよい。この場合、塗布具セットで提供されるすべての塗布具が使用されたかどうかを容易に判定すること（すなわち、塗布具セットの使用を終了するまでの時間の判定）が可能である。また、複数の塗布具のそれぞれは、他の塗布具と区別されることができてよい。この場合、異なる場所、使用法等に応じて複数の塗布具のうちの異なる塗布具を使用することが容易になる。ここで、塗布具間を区別する手段には、特定の制限は課されないが、かかる手段は、他の塗布具と異なるように塗布具の少なくとも一部の色、材料、形状（例えば、凹面）等を使用すること、塗布具へのマーカーの適用、固定部材へのマーカーの適用等に例示される。
【０１１８】
図７は、本実施形態の塗布具セットの一例を示す傾斜斜視図である。塗布具セット２００には、塗布具１１０、１２０、１３０、１４０、１５０、及び１６０、並びに固定部材１７０が装備される。今後、塗布具１１０と固定部材１７０との間の関係は、一例として説明されるが、塗布具１２０、１３０、１４０、１５０、及び１６０と固定部材１７０との間の関係も、塗布具１１０と固定部材１７０との間の関係と同じである。加えて、塗布具１１０、１２０、１３０、１４０、１５０、及び１６０の構成及び形状（上述のとおり、塗布具間を区別できる手段が適用される場合、これらはこの手段以外の部分の構成及び形状である）は、互いに同一であり得る。例えば、対応の塗布具１１０、１２０、１３０、１４０、１５０、及び１６０は、図４に示されている塗布具と同じ構成及び形状を有してよい。
【０１１９】
塗布具１１０は、マーカー組成物を保持できる塗布具本体１１２と、塗布具本体１１２を保持するための保持本体１１４と、塗布具本体１１２を密封するための蓋本体１１６（保持本体１１４に取り外し可能に取り付けられた）と、保持本体１１４と蓋本体１１６との間の隙間を封止するための封止構成部品１１８（保持本体１１４上に装着）と、で構成される。固定部材１７０は、およそ矩形の平衡六面体形状を有し、長手方向に向かった所定の間隔の複数の貫通孔付きで提供される。貫通孔は、固定部材１７０の一方の側面の幅方向の中央部分から、反対側の側面の幅方向の中央部分に向かって貫通する。対応の貫通孔は、互いに平行して固定部材１７０を貫通する。貫通孔は、蓋本体１１６の外周面に係合し得る。塗布具１１０は、貫通孔のうちの１つと係合する蓋本体１１６の結果として、固定部材１７０に取り外し可能に取り付けられる。
【０１２０】
固定部材１７０の材料は、特に限定されないが、金属、プラスチッ、ガラス等であってもよい。加えて、固定部材１７０は、透明であっても色付きであってもよい。
【０１２１】
固定部材１７０の形状及びサイズは、運びやすさ、固定部材１７０への塗布具１１０及び１２０の固定しやすさ、並びに固定部材１７０に対する塗布具１１０、１２０、１３０、１４０、１５０、及び１６０の取り付け及び取り外ししやすさ、といった要素を考慮するうえで適宜選択されてよい。例えば、図７の固定部材１７０の長手方向に沿った固定部材１７０の全長は、５０〜３００ｍｍに設定されてよい。
【０１２２】
このような塗布具セット２００を使用すると、塗布具１１０、１２０、１３０、１４０、１５０、及び１６０を固定部材１７０に一体的に固定することが可能である。加えて、塗布具セット２００を持ち運ぶことにより、複数の塗布具の移送が容易になる。
【０１２３】
塗布具１１０から蓋本体１１６を分離することにより、例えば、マーカー組成物の塗布時に、塗布具セット２００から塗布具１１０を分離し、塗布具本体１１２を開けることが可能である。次に、例えば、蓋本体１１６から分離した塗布具１１０を把持し、塗布ターゲットの表面に塗布具本体１１２の露出部分を押し付けることにより、塗布具本体１１２に保持されたマーカー組成物を塗布することが可能である。蓋本体１１６及び固定部材１７０が取り外し可能に取り付けられると、蓋本体１１６が装着されている状態で塗布具１１０が固定部材１７０から分離された後、マーカー組成物を塗布するために、蓋本体１１６は塗布具１１０から分離されてよい。
【０１２４】
マーカー組成物の塗布後、使用された塗布具１１０の塗布具本体１１２は、蓋本体１１６によって密封される。次に、塗布具１２０から蓋本体１２６を分離することにより、例えば、塗布具セット２００から塗布具１２０を分離し、塗布具本体１２２を開けることが可能である。次に、例えば、蓋本体１２６から分離した塗布具１２０を把持し、塗布ターゲットの表面に塗布具本体１２２の露出部分を押し付けることにより、塗布具本体１２２に保持されたマーカー組成物を塗布することが可能である。例えば、病院の病室内での使用時に、病原菌が塗布具１１０の塗布具本体１１２に付着するようになっても、塗布具本体１１２は蓋部１１６によって密封されており、そのため、他の病室への病原体の蔓延を防止することが可能である。加えて、所定の病室で使用された塗布具１１０を使用後に室内に貯蔵又は破棄して、塗布具１１０が分離された塗布具セット２００を使用して他の病室でマーカー組成物を塗布することにより、汚染された塗布具による病原体の蔓延がまた防止され得る。
【０１２５】
塗布具セット２００の製造方法の一例は、塗布具本体１１２、１２２、１３２、１４２、１５２、及び１６２をマーカー組成物で充填する工程と、マーカー組成物を充填された対応の塗布具本体１１２、１２２、１３２、１４２、１５２、及び１６２を保持本体１１４、１２４、１３４、１４４、１５４、及び１６４に装着して、塗布具１１０、１２０、１３０、１４０、１５０、及び１６０を取得する工程と、塗布具１１０、１２０、１３０、１４０、１５０、及び１６０を固定部材１７０に固定する工程と、を含む方法である。
【０１２６】
本実施形態の塗布具セットは、前述の態様に制限されず、様々な種類の変更例が可能である。例えば、第４の実施形態の塗布具と同じ方法で、別個の塗布具間を連結する手段、及び塗布具と蓋本体との間を連結する手段では、塗布具の保持部に雄ネジ部を配置し、塗布具の蓋本体及び蓋部に雌ネジ部を配置し、これらのネジ付き部材を合わせて締めることで取り付けを実行し得る。また、蓋部は、蓋部の内壁面との外れ止めが可能な突出部分を有する保持部の外壁面を提供することで、保持部との外れ止めができるように形作られてよい。このような結合手段によって、保持部と蓋部との間の隙間を封止するための封止構成部品を使用することと、塗布具本体の密封用スペースの気密性を更に高めることと、が可能である。また、塗布具及び蓋本体はそれぞれ、塗布具及び蓋本体の相互に取り外し可能な取り付けを可能にするための締結具を有してよい。なお、塗布具セットは、塗布具セットの貯蔵時にマーカー組成物の貯蔵安定性を更に高めるため、高度に密封された容器（例えば、袋、ハウジング等）に挿入され、貯蔵されてよい。
【０１２７】
加えて、固定部材は、複数の塗布具を一体的に固定する限り、特に制限されない。例えば、塗布具を互いに取外し可能に接着するための接着剤は、固定部材として使用され得る。
【０１２８】
加えて、塗布具セットの塗布具の数には、特定の制限は課されず、単一の塗布具セットは１〜２０個の塗布具を有してよい。
【０１２９】
［第７の実施形態：清浄度を判定する方法］
第７の実施形態の清浄度を判定する方法は、清掃される清掃前の表面にマーカー組成物を塗布する工程と、清掃される清掃後の表面に光を照射し、再帰反射性粒子から反射する光を感知する工程と、反射した光を感知した結果に基づいて清掃される表面の清浄度を判定する工程と、を含む。第１の実施形態又は第２の実施形態のマーカー組成物は、第７の実施形態のマーカー組成物として使用され得る。加えて、マーカー組成物を塗布する方法は特に制限されず、例えば、第３の実施形態のパッケージ、第４の実施形態の塗布具、第５の実施形態の塗布具セット、又は第６の実施形態の塗布具セットを使用することが可能である。
【０１３０】
本実施形態の清浄度判定方法の一態様では、初めに、清掃作業者に気づかれないような方法で清掃前に、清掃される物体（例えば、テーブル、椅子等）に又は床、壁、天井等にマーカー組成物が塗布される。なお、マーカー組成物の塗布の領域を清掃作業者に知られることがない場合は、透明な組成物がマーカー組成物に使用され得る。
【０１３１】
その後、清掃作業者が清掃を行う。マーカー組成物は、水、水アルコールの混合溶液等を含む清掃用具（すなわち、布、モップ等）を使用して拭き取ることにより、塗布領域から容易に除去することができる。更に、マーカー組成物の塗布及び除去中、マーカー組成物は自然照明又は室内照明のような光によって照らされる。しかしながら、清掃用品を持ち、清掃領域を清掃する人物の視線は通常、光の入射及び反射の方向とは異なるため、清掃用品を持ち、清掃領域を清掃する人物は通常、再帰反射性粒子からの反射光を視覚的に感知できない。
【０１３２】
その後、光は清掃される清掃後の表面に照射され、再帰反射性粒子から（form）反射された光が感知され、その反射光を感知した結果に基づいて、清掃される表面の清浄度が判定される。照明光が再帰反射性粒子の再帰反射性を示している限り、照明光には特定の制限は課されない。また、使用される光が可視光である場合、反射光を視覚的に感知することが可能である。あるいは、照明及び撮像は、標準のカメラ、カメラ付き携帯電話、カメラ付き多機能型携帯電話等の撮像用の発光（フラッシュライト）を使用して実行されてもよく、その後、取得された画像内の反射光の有無に基づいて、マーカー組成物の有無を判定することが可能である。
【０１３３】
［第８の実施形態：清浄度を判定するためのシステム］
第８の実施形態の清浄度を判定するためのシステムは、マーカー組成物を塗布し、その後清掃される清掃後の表面に光を照射するに際しての、清掃される表面の条件を示す画像データに基づいてマーカー組成物に含まれる再帰反射性粒子からの反射光を感知するための感知手段と、感知手段によって取得した反射光を感知した結果に基づいて、清掃される表面の清浄度を判定するための判定手段と、を含む。
【０１３４】
感知手段によってマーカー組成物手段に含まれる再帰反射性粒子から反射された光の有無を判定するのに、画像データを使用できる限り、本実施形態の画像データに特定の制限は課されない。例えば、第７の実施形態の場合と同じ方法で、標準のカメラ、カメラ付き携帯電話、カメラ付き多機能電話等の撮像用の光照射（フラッシュライト）が使用されてもよい。
【０１３５】
取得された画像データに基づいてマーカー組成物に含まれる再帰反射性粒子から反射した光を、感知手段で感知できる限り、感知手段に特定の制限は課されない。例えば、画像データ内の反射光の有無を識別できる画像解析装置を使用することが可能である。また、反射光の感知時に、必要に応じて、画像データ内の反射光の領域（明るい領域）と他の領域（暗い領域）との間のコントラストを上げるなどの画像処理を実行することが可能である。反射光がある領域の表面積及び／又は形状の解析等の処理も実行され得る。このような解析を実行することによって、清掃される表面の清浄度をより高い精度で判定することが可能である。
【０１３６】
感知手段によって取得された反射光の感知の結果に基づいて、清掃される表面の清浄度を、判定手段で判定できる限り、判定手段に特定の制限は課されない。例えば、感知手段が反射光の感知結果に関するデータ信号の伝送機能を有する場合、データ信号を受信する能力を有し、情報信号に基づいて「反射光は存在する」又は「反射光は存在しない」ことを判定する機能を有する、データ処理装置を使用することが可能である。
【０１３７】
なお、情報交換の手段（例えば、イントラネット、インターネット等）の使用によって画像データに基づいた清浄度の判定の結果、又は複数の場所で取得された反射光の感知結果に関して、データの一元管理が可能である。このようにして、清掃の対象となる領域が広範囲に及ぶ場合のでも、清掃が十分に実行されたかどうかの効率的で正確な判定が実施され得る。
【０１３８】
感知機能及び判定機能の両方を有する多機能型装置は、感知手段及び判定手段に使用され得る。例えば、カメラ付き多機能型携帯電話を、このタイプの多機能型装置として使用してもよい。この場合、まず、前述の感知手段及び判定手段の機能を実行するためのソフトウェア（すなわち、アプリケーション）が、携帯電話内のコンピュータ（ＣＰＵ等）にインストールされる。その後、前述のソフトウェアによる画像データの処理によって、再帰反射性粒子から（form）反射した光を感知すること、及び清掃される表面の清浄度の判定を行うことが可能である。感知手段の機能を実現するソフトウェア及び判定手段の機能を実現するソフトウェアは、別個のソフトウェアであってもよく、単一の統合ソフトウェアアプリケーションであってもよい。
【０１３９】
また、データ交換の手段が使用されてもよく、アクセス可能なサーバーコンピュータ（すなわち、いわゆるクラウドシステム）が多機能型装置として使用されてもよい。この場合、まず、感知手段及び判定手段の機能を実現するソフトウェアがサーバーコンピュータにインストールされる。その後、データ交換手段が、サーバーコンピュータへの画像データの送信に使用される。その後、サーバーコンピュータが前述のソフトウェアを使用して、画像データの処理を行い、次に、処理結果がサーバーコンピュータから受信され、それにより、清掃サイトに感知手段及び判定手段が存在しない場合でも、再帰反射性粒子から反射する光の感知と、清掃される表面の清浄度の判定と、を容易に実行することが可能である。
【実施例】
【０１４０】
本発明は、実施例に基づいてより具体的に説明されるが、本発明は以下の実施例に限定されるものでは決してない。
【０１４１】
［製造例１及び２］
＜分散媒及び湿潤剤の混合物の調製＞
以下に示す対応の水溶性ポリマー、水、アルコール、及び湿潤剤を製造例１及び２で使用して、表１に示す組成物を有する分散媒及び湿潤剤の混合物を調製した。なお、表１の材料それぞれのブレンド割合の単位は、重量部である。
【０１４２】
水溶性ポリマー：
Ｘ−ＰＶＰ（Ａｌｄｒｉｃｈ製、架橋のためにポリビニルピロリドンのγ線照射によって取得される水溶性ポリマー）
Ｋ９０−ＰＶＰ（Ｗａｋｏ  Ｐｕｒｅ  Ｃｈｅｍｉｃａｌ  Ｉｎｄｕｓｔｒｉｅｓ，Ｌｔｄ．製、非架橋型ポリビニルピロリドン）
水：脱イオン水
アルコール：ＩＰＡ（イソプロピルアルコール）
湿潤剤：グリセリン
【０１４３】
製造例１及び２の分散媒及び湿潤剤の混合物の調製方法は、以下のとおりである。
【０１４４】
まず、温度４〜６℃で、引火性溶媒のブレンドに使用される密封容器に脱イオン水及びグリセリンを入れ、混合物を混合した。次に、水溶性ポリマーを添加して、混合し続けた。その後、混合物の温度を２５℃に上げてから、この混合物にＩＰＡを添加し、混合物をブレンドして分散媒及び湿潤剤の混合物を取得した。
【０１４５】
＜分散媒及び湿潤剤の粘度の測定＞
製造例１及び２の分散媒及び湿潤剤の混合物の、２５℃での粘度（ｃｐｓ）をＪＩＳ  Ｚ  ８８０３に基づいて測定した。測定結果を表１に示す。
【０１４６】
【表１】
2017534691.tif 000003
【０１４７】
［実施例１〜７］
＜マーカー組成物の調製＞
実施例１〜７では、表２に示す組成物を有するマーカー組成物を、再帰反射性粒子、水溶性ポリマー、水、アルコール、及び湿潤剤を使用して調整した。なお、表２の材料それぞれのブレンド割合それぞれの単位は、重量部である。また、表２に示す材料の詳細は、以下で説明する。
【０１４８】
ＵＢ−２４Ｍ（Ｕｎｉｔｉｋａ  Ｌｔｄ．製、４５〜６３μｍの粒子直径及び１．９の屈折率を有するガラス粒子）
【０１４９】
ＵＢ−３５Ｍ（Ｕｎｉｔｉｋａ  Ｌｔｄ．製、５３〜７５μｍの粒子直径及び１．９の屈折率を有するガラス粒子）
実施例１〜７におけるマーカー組成物の調製方法を以下に説明する。
【０１５０】
まず、温度４〜６℃で、引火性溶媒のブレンドに使用される密封容器に脱イオン水及びグリセリンを入れ、混合物を混合した。その後、混合物の温度を２５℃に上げてから、この混合物にＩＰＡを添加し、混合物をブレンドした。次に、再帰反射性粒子を更に添加し、混合物をブレンドしてマーカー組成物を取得した。
【０１５１】
＜塗布具の調製、及びマーカー組成物の特質の評価＞
実施例１〜７のマーカー組成物のそれぞれを使用して、対応の塗布具を製造した。塗布具の製造手順を以下に説明する。
【０１５２】
まず、レシーバーとして９６ウェルマイクロプレート（ＡＳ  ＯＮＥ  Ｃｏｒｐ．製、商標名：ＧＤＭＰ−９６Ｕ）、蓋本体としてアルミニウムテープ（３Ｍ  Ｃｏｒｐ．製、商標名：３Ｍ  Ｍｉｃｒｏ−Ｐｌａｔｅ  Ｓｅａｌｉｎｇ  Ａ１  Ｔａｐｅ（＃９７９２））、及び塗布具本体として綿棒（ＪＣＢ  Ｉｎｄｕｓｔｙ  Ｌｔｄ．、商標名：ＭＥＮ−ＴＩＰ）を調製した。次に、蠕動ポンプに連結されたポンプから、マーカー組成物をマイクロプレートレシーバー部のウェルのそれぞれに給送した。ウェル１つ当たりのマーカー組成物の量は、０．３ｍＬに設定した。なお、アルミニウムテープを９６ウェルマイクロプレートの開口側の表面に取り付け、それにより、それぞれのウェブを密封して、図３に示すような塗布具を取得した。
【０１５３】
次に、綿棒を使用してウェルの上のアルミニウムテープを破き、マーカー組成物を綿棒に付着させ、マーカー組成物を紙片に塗布した。マーカー組成物の塗布後、紙片を視覚的に観察し、塗布可能性（塗布したマーカー組成物の付着しやすさ及び厚さ）及び急速乾燥可能性を評価した。また、カメラを使用して、撮像光で照らしていないときの状態を撮像する、及び撮像光で照らしているときの状態を撮像することにより、マーカー組成物の塗布後の紙片を評価し、取得した画像に基づいて視認可能性（光で照らしていないときのマーカー組成物の可視性）及び再帰反射性（光で照らしているときのマーカー組成物の可視性）を評価した。
【０１５４】
それぞれの特質に対する評価基準は、以下のとおりである。
【０１５５】
（塗布可能性）
Ａ：マーカー組成物は非常にうまく塗布される。
Ｂ：マーカー組成物はうまく塗布される。
Ｃ：マーカー組成物はやや付着しにくい。
Ｄ：マーカー組成物は厚く塗布される。
【０１５６】
（急速乾燥可能性）
Ａ：マーカー組成物は非常に乾きやすい。
Ｂ：マーカー組成物は乾きやすい。
Ｃ：マーカー組成物は乾きにくい。
【０１５７】
（視認可能性）
Ａ：マーカー組成物は非常に見にくい。
Ｂ：マーカー組成物は見にくい。
Ｃ：マーカー組成物は見やすい。
【０１５８】
（反射性）
Ａ：マーカー組成物は非常に見やすい。
Ｂ：マーカー組成物は見やすい。
Ｃ：マーカー組成物は見にくい。
【０１５９】
取得した評価結果を表２に示す。図８は、撮像光で照らしていないときの、実施例３のマーカー組成物が塗布されている紙片の状態の画像を示す。図９は、撮像光で照らしているときの、実施例３のマーカー組成物が塗布されている紙片の状態の画像を示す。図１０は、撮像光で照らしていないときの、実施例７のマーカー組成物が塗布されている紙片の状態の画像を示す。図１１は、撮像光で照らしているときの、実施例７のマーカー組成物が塗布されている紙片の状態の画像を示す。可視性及び反射性に関して、塗布されたマーカー組成物を裸眼で観察した場合に取得した評価結果と、写真に基づいた評価結果との間には、本質的に相違はない。例えば、撮像光の照射のない状態を示す画像で、マーカー組成物を視覚的に確認できない場合は、マーカー組成物を裸眼で視覚的に確認することもできない。
【０１６０】
＜パッケージの製造、及びマーカー組成物の特質の評価＞
実施例４、６、及び７のマーカー組成物を使用して、パッケージを製造した。パッケージの製造手順を以下に説明する。
【０１６１】
まず、レシーバーとして単一のレシーバー部を有する個々の容器（Ｋａｎｅｋａ  Ｌｔｄ．製、商標名ＣＯＳＭＯＰＡＣＫ−ＢＰ）と、蓋本体としてアルミニウムテープ（３Ｍ  Ｃｏｒｐ．製、商標名：３Ｍ  Ｍｉｃｒｏ−Ｐｌａｔｅ  Ｓｅａｌｉｎｇ  Ａｌ  Ｔａｐｅ（＃９７９２））をそれぞれ調製した。その後、蠕動ポンプに連結されたポンプから、マーカー組成物を単一のコンテナレシーバー部に給送した。単一のコンテナ１つ当たりのマーカー組成物の量は、０．３ｍＬに設定した。なお、それぞれの容器が密封されるように、個々の容器の開口側の表面にアルミニウムテープを取り付けて、パッケージを取得した。
【０１６２】
次に、アルミニウムテープをパッケージから剥ぎ取って個々の容器を開け、マーカー組成物を綿棒に付着させ、マーカー組成物を紙片に塗布した。塗布可能性及び視認可能性は、前述の塗布具に対するものと同じ方法で評価した。
【０１６３】
取得した評価結果を表２に示す。また、図１２は、撮像光で照らしていない状態、並びに撮像光で照らしている状態での、実施例７のマーカー組成物が塗布されている紙片の状態の画像を示す。図１２では、（ａ）は、撮像光の照射のない状態を示す画像であり、（ｂ）は、（ａ）内のマーカー組成物の塗布エリアにおいて高倍率で撮った画像であり、（ｃ）は、撮像光の照射のある状態を示す画像であり、（ｄ）は、（ｃ）内のマーカー組成物の塗布エリアにおいて高倍率で撮った画像である。可視性及び反射性に関して、塗布されたマーカー組成物を裸眼で観察した場合に取得した評価結果と、写真に基づいた評価結果との間には、本質的に相違はない。
【０１６４】
【表２】
2017534691.tif 000004
【０１６５】
［実施例８〜１１］
＜マーカー組成物の調製＞
表３に示す対応の組成物を有するマーカー組成物は、実施例８〜１１で調製した。なお、マーカー組成物の成分からなる組成物及び含量は異なるが、マーカー組成物の調製手順は実施例１〜７のものと同一である。表３の材料それぞれのブレンド割合の単位は、重量部である。表３の「Ｋ３０−ＰＶＰ」は、非架橋型ポリビニルピロリドン（Ｗａｋｏ  Ｐｕｒｅ  Ｃｈｅｍｉｃａｌ  Ｉｎｄｕｓｔｒｉｅｓ，Ｌｔｄ．製）である。
【０１６６】
＜塗布具の調製、及びマーカー組成物の特質の評価＞
塗布具は、実施例８〜１１の対応のマーカー組成物を使用して製造した。塗布具の製造手順を以下に説明する。
【０１６７】
まず、塗布具本体として、ポリウレタンスポンジ（ＩＮＯＡＣ  Ｃｏｒｐ．製、商標名：ＣＦＨ−４０、相互連結されたセル数：２５ｍｍ当たり４０）を塗布具本体として調製した。次に、マーカー組成物を７０℃で攪拌しながら、蠕動ポンプに連結されたポンプからマーカー組成物をスポンジに給送し、スポンジの内側をマーカー組成物で充填した。ポリウレタンスポンジ１つ当たりのマーカー組成物の量は、０．５〜０．６ｇに設定した。このとき、マーカー組成物によるスポンジの充填しやすさと、マーカー組成物の保持可能性と、を評価した。評価基準を以下に説明する。
【０１６８】
（スポンジの充填しやすさ）
Ａ：スポンジは非常に充填しやすい。
Ｂ：スポンジは充填しやすい。
Ｃ：スポンジはやや充填しにくい。
【０１６９】
（スポンジの保持可能性）
スポンジをマーカー組成物で充填するとき、マーカー組成物がスポンジにしっかり保持されるかどうかを次の基準に基づいて評価した。
Ａ：マーカー組成物は非常にしっかり保持される。
Ｂ：マーカー組成物はしっかり保持される。
Ｃ：マーカー組成物はやや保持しにくい。
【０１７０】
その後、スポンジを保持本体に装着し、蓋本体及び封止構成部品（Ｏリング）を保持本体に装着して、図４に示されているようなスタンプ型の塗布を取得した。
【０１７１】
その後、蓋本体を塗布具から取り外してスポンジの蓋を取り、スポンジの露出部を紙片に押し付けることによってマーカー組成物を塗布した。次に、実施例１〜７のものと同じ評価基準に従って、マーカー組成物の塗布可能性、可視性、及び反射性を評価した。
【０１７２】
更に、以下の基準に基づいて、紙片からのマーカー組成物の拭き取りやすさと、塗布具のスポンジに保持されたマーカー組成物の安定性と、を評価した。
【０１７３】
（拭き取りやすさ）
Ａ：マーカー組成物は非常に拭き取りやすい。
Ｂ：マーカー組成物は拭き取りやすい。
Ｃ：マーカー組成物はやや拭き取りにくい。
【０１７４】
（安定性）
スポンジに保持されたマーカー組成物が、過度にスポンジから流れ出ることなく、安定してスポンジに保持されるかどうかを、次の基準に基づいて評価した。
Ａ：マーカー組成物は非常に安定して保持される。
Ｂ：マーカー組成物は安定して保持される。
Ｃ：マーカー組成物はやや、安定して保持することがやや困難である。
【０１７５】
取得した評価結果を表３に示す。図１３は、撮像光で照らしていないときの、実施例８のマーカー組成物が塗布されている紙片の状態の画像を示す。図１４は、撮像光で照らしているときの、実施例８のマーカー組成物が塗布されている紙片の状態の画像を示す。図１３及び１４にあるマーカー組成物の複数の移動は、同じ塗布具を使用して行った。可視性及び反射性に関して、塗布されたマーカー組成物を裸眼で観察した場合に取得した評価結果と、写真に基づいた評価結果との間には、本質的に相違はない。
【０１７６】
【表３】
2017534691.tif 000005
【０１７７】
［製造例３〜５］
表４に示すとおり、マーカー組成物は、成分のそれぞれのブレンド濃度と、水溶性ポリマー、水、アルコール、湿潤剤、及びｐＨ調整剤の組み合わせと、を使用して作製した。なお、表４の材料それぞれのブレンド割合の単位は、重量部である。表４の「ＰＶＡ＃１４００」はポリビニルアルコール（Ｋｉｓｈｉｄａ  Ｃｈｅｍｉｃａｌ  Ｃｏ．，Ｌｔｄ．製、商標名：Ｐｏｌｙｖｉｎｙｌａｌｃｏｈｏｌ  １，４００）である。
【０１７８】
［０１５５］
【表４】
2017534691.tif 000006
【０１７９】
［実施例１２〜１４］
＜マーカー組成物の調製＞
表５に示す対応の組成物を有するマーカー組成物は、実施例１２〜１４で調製した。なお、マーカー組成物の調製手順は、実施例１〜７の場合と同一である。更に、表５の材料それぞれのブレンド割合の単位は、重量部である。
【０１８０】
＜塗布具の調製、及びマーカー組成物の特質の評価＞
実施例１２〜１４のマーカー組成物のそれぞれを使用して、対応の塗布具を製造した。塗布具の調製手順は、実施例８〜１１の場合と同一である。取得した塗布具を使用して、マーカー組成物を４℃、２５℃、又は４０℃の温度で紙片に塗布し、実施例１〜７の場合と同じ評価基準に従って、マーカー組成物の反射性を評価した。
【０１８１】
なお、以下の評価基準に基づいて、マーカー組成物の付着可能性（紙片への接着の強度）及び紙片からの拭き取りやすさを評価した。
【０１８２】
（付着可能性）
Ａ：マーカー組成物はしっかり付着する。
Ｂ：マーカー組成物はやや付着しにくい。
Ｃ：マーカー組成物は非常に強く付着する。
【０１８３】
（拭き取りやすさ）
Ａ：マーカー組成物は非常に拭き取りやすい。
Ｂ：マーカー組成物は拡散するが拭き取りやすい。
Ｃ：マーカー組成物はやや拭き取りにくい。
【０１８４】
取得した評価結果を表５に示す。更に、図１５は、撮像光で照らしていないときの、実施例１２〜１４のマーカー組成物が塗布されている紙片の状態の画像を示す。図１６は、撮像光で照らしているときの、実施例１２〜１４のマーカー組成物が塗布されている紙片の状態の画像を示す。実施例１２〜１１のそれぞれの温度での、図１５及び１６にあるマーカー組成物の複数の移動は、同一の対応の塗布具を使用して行った。反射性に関して、塗布されたマーカー組成物を裸眼で観察したときに得られる評価結果と、写真に基づいた評価結果との間には、本質的に相違はない。
【０１８５】
【表５】
2017534691.tif 000007
【０１８６】
［実施例１５及び１６］
＜マーカー組成物の調製＞
実施例１５及び１６では、表６に示す組成物を有するマーカー組成物を、以下の対応の再帰反射性粒子及び分散媒を使用して調製した。なお、表６の材料それぞれのブレンド割合の単位は、重量部である。
【０１８７】
再帰反射性粒子：
ＵＢ−２４Ｍ（Ｕｎｉｔｉｋａ  Ｌｔｄ．製、４５〜６３μｍの粒子直径及び１．９の屈折率を有するガラス粒子）
【０１８８】
分散媒：
Ｐｌｕｒｏｎｉｃ（登録商標）２５Ｒ４（ＢＡＳＦ製、流動点：２５℃）
ポロキサマー１８８（Ｍｅｒｃｋ  ＆  Ｃｏ．，Ｉｎｃ．製、流動点：５２℃）
【０１８９】
ここで、実施例１５及び１６のマーカー組成物は、再帰反射性粒子及び分散媒を温度９０℃で遊星型ミキサーに装填して混合することによって調製した。結果のマーカー組成物を、次に温度７０〜９０℃で維持し、以下の塗布具セットの製造で使用した。
【０１９０】
＜塗布具セットの製造、及びマーカー組成物の評価＞
塗布具は、実施例１５及び１６の対応のマーカー組成物を使用して製造した。塗布具の製造手順を以下に説明する。
【０１９１】
まず、ポリウレタンスポンジ（ＩＮＯＡＣ  Ｃｏｒｐ．製、商標名：ＭＦ−５０、セル数：５０セル／２５ｍｍ）を塗布具本体として調製した。次に、マーカー組成物を７０℃で攪拌しながら、蠕動ポンプに連結されたポンプからマーカー組成物をスポンジに給送し、スポンジの内側をマーカー組成物で充填した。ポリウレタンスポンジ１つ当たりのマーカー組成物の量は、０．５〜０．８ｇに設定した。このとき、スポンジ内のマーカー組成物の保持可能性を評価した。
【０１９２】
次に、スポンジを保持本体に装着して塗布具を取得し、複数の塗布具及び蓋本体を互いに連結して、図５に示されているようなマルチスタンプ型の塗布具セットを取得した。
【０１９３】
次に、蓋本体を先端に配設された塗布具から分離させてスポンジの蓋を外し、スポンジの露出部を紙片に押し付けることによってマーカー組成物を塗布した。なお、塗布具セットの先端から使用した塗布具を分離することと、塗布具セットの終端に塗布具を装着することと、マーカー組成物を塗布することと、を含む一連の工程を繰り返し、新しい塗布具で塗布したときのマーカー組成物の塗布可能性（塗布したマーカー組成物の厚さの均一性）と、塗布具の交換しやすさと、重ね塗り適合性と、を評価した。また、カメラを使用して、撮像光で照らしていないときの状態を撮像する、及び撮像光で照らしているときの状態を撮像することにより、マーカー組成物の塗布後の紙片を評価し、取得した画像に基づいて視認可能性（光で照らしていないときのマーカー組成物の可視性）及び再帰反射性（光で照らしているときのマーカー組成物の可視性）を評価した。
【０１９４】
なお、紙片からのマーカー組成物の拭き取りやすさと、塗布具のスポンジに保持されたマーカー組成物の安定性と、を評価した。
【０１９５】
それぞれの特質に対する評価基準は、以下のとおりである。
【０１９６】
（スポンジの保持可能性）
スポンジをマーカー組成物で充填するとき、マーカー組成物がスポンジにしっかり保持されるかどうかを次の基準に基づいて評価した。
Ａ：マーカー組成物は非常にしっかり保持される。
Ｂ：マーカー組成物はしっかり保持される。
Ｃ：マーカー組成物はやや保持しにくい。
【０１９７】
（塗布可能性）
Ａ：マーカー組成物は非常に均一にされる。
Ｂ：マーカー組成物は均一に塗布される。
Ｃ：マーカー組成物は均一に塗布することがやや困難である。
【０１９８】
（視認可能性）
Ａ：マーカー組成物は非常に見にくい。
Ｂ：マーカー組成物は見にくい。
Ｃ：マーカー組成物は見やすい。
【０１９９】
（反射性）
Ａ：マーカー組成物は非常に見やすい。
Ｂ：マーカー組成物は見やすい。
Ｃ：マーカー組成物は見にくい。
【０２００】
（拭き取りやすさ）
Ａ：マーカー組成物は非常に拭き取りやすい。
Ｂ：マーカー組成物は拭き取りやすい。
Ｃ：マーカー組成物はやや拭き取りにくい。
【０２０１】
（安定性）
スポンジに保持されたマーカー組成物が、過度にスポンジから流れ出ることなく、安定してスポンジに保持されるかどうかを、次の基準に基づいて評価した。
Ａ：マーカー組成物は非常に安定して保持される。
Ｂ：マーカー組成物は安定して保持される。
Ｃ：マーカー組成物はやや、安定して保持することがやや困難である。
【０２０２】
（塗布具の取り替えやすさ）
Ａ：塗布具は非常に取り替えやすい。
Ｂ：塗布具は取り替えやすい。
Ｃ：塗布具は取り替えにくい。
【０２０３】
（重ね塗り適合性）
Ａ：非常に重ね塗りしやすい。
Ｂ：重ね塗りしやすい。
Ｃ：重ね塗りしにくい。
【０２０４】
取得した評価結果を表６に示す。加えて、図１７は、撮像光の照射のない、実施例１５のマーカー組成物を使用して製造された塗布具の状態と、実施例１５のマーカー組成物が塗布されている紙片と、の画像を示す。図１８は、撮像光の照射のある、実施例１５のマーカー組成物を使用して製造された塗布具の状態と、実施例１５のマーカー組成物が塗布されている紙片と、の画像を示す。また、図１９は、撮像光の照射のない、実施例１６のマーカー組成物を使用して製造された塗布具の状態と、実施例１６のマーカー組成物が塗布されている紙片と、の画像を示す。図２０は、撮像光の照射のある、実施例１６のマーカー組成物を使用して製造された塗布具の状態と、実施例１６のマーカー組成物が塗布されている紙片と、の画像を示す。図１７〜２０にあるマーカー組成物の複数の移動は、それぞれ同じ塗布具を使用して行った。可視性及び反射性に関して、塗布されたマーカー組成物を裸眼で観察した場合に取得した評価結果と、写真に基づいた評価結果との間には、本質的に相違はない。
【０２０５】
【表６】
2017534691.tif 000008
【０２０６】
＜塗布具セットの製造、及びマーカー組成物の物理特性の評価＞
スタンプに使用したスポンジ（ウレタン発泡体）を表７に示すスポンジに変更することを除き、実施例１５の場合と同じ方法で、実施例１５のマーカー組成物を使用して塗布具セットを取得した。表７に示す材料の詳細は、以下のとおりである。
ＭＦ−２０：Ｉｎｏａｃ  Ｃｏｒｐｏｒａｔｉｏｎ製、ポリエステルポリウレタン発泡体、商標名、セル数：２０セル／２５ｍｍ
ＭＦ−３０：Ｉｎｏａｃ  Ｃｏｒｐｏｒａｔｉｏｎ製、ポリエステルポリウレタン発泡体、商標名、セル数：３０セル／２５ｍｍ
ＣＦＨ−３０：Ｉｎｏａｃ  Ｃｏｒｐｏｒａｔｉｏｎ製、ポリエステルポリウレタン発泡体、商標名、セル数：３０セル／２５ｍｍ
ＣＦＨ−４０：Ｉｎｏａｃ  Ｃｏｒｐｏｒａｔｉｏｎ製、ポリエステルポリウレタン発泡体、商標名、セル数：４０セル／２５ｍｍ
ＭＦ−５０：Ｉｎｏａｃ  Ｃｏｒｐｏｒａｔｉｏｎ製、ポリエステルポリウレタン発泡体、商標名、セル数：５０セル／２５ｍｍ
ＭＦ−５５：Ｉｎｏａｃ  Ｃｏｒｐｏｒａｔｉｏｎ製、ポリエステルポリウレタン発泡体、商標名、セル数：５５セル／２５ｍｍ
【０２０７】
次に、取得した塗布具セットの塗布具を使用して、実施例１５のマーカー組成物を紙片に１０回塗布し、保持可能性及び塗布可能性を評価した。取得した結果を表７に示す。加えて、スポンジとしてＣＦＨ−３０又はＣＦＨ−４０を有する塗布具を使用したときの、撮像光の照射のない、実施例１５のマーカー組成物が塗布された紙片の状態の画像を図２１に示し、撮像光の照射のある、実施例１５のマーカー組成物が塗布された紙片の状態の画像を図２２に示す。ここで、図２１及び２２では、上の段がＣＦＨ−３０の結果を示し、下の段がＣＦＨ−４０の結果を示す。図２１及び２２にある、それぞれのスポンジを使用したときのマーカー組成物の複数の移動は、それぞれ同じ塗布具を使用して行った。
【０２０８】
【表７】
2017534691.tif 000009
【０２０９】
［実施例１７〜２０］
＜マーカー組成物の調製＞
表８に示す対応の組成物を有するマーカー組成物は、実施例１７〜２０で調製した。表８に示す材料の詳細は、以下のとおりである。更に、表８の材料それぞれのブレンド割合の単位は、重量部である。
Ｐｌｕｒｏｎｉｃ  ２５Ｒ４：ＢＡＳＦ製、商標名、流動点：２５℃
Ｐｌｕｒｏｎｉｃ  Ｐ８４：ＢＡＳＦ製、商標名、流動点：３４℃
Ｐｌｕｒｏｎｉｃ  Ｐ１０３：ＢＡＳＦ製、商標名、流動点：３０℃
Ｐｏｌｏｘａｍｅｒ  １８８：Ｍｅｒｃｋ  ＆  Ｃｏ．，Ｉｎｃ．製、商標名、流動点：５２℃
【０２１０】
＜塗布具セットの製造、及びマーカー組成物の物理特性の評価＞
塗布具セットは、実施例１７〜２０の対応のマーカー組成物を使用して製造した。塗布具セットの製造手順は、スポンジをＭＦ−５５に変更することを除き、実施例１５及び１６の場合と同じである。次に、取得した塗布具セットを使用して、実施例２０〜２３のマーカー組成物を紙片に塗布した。その後、実施例１５及び１６と同じ評価基準に従って、マーカー組成物の保持可能性、塗布可能性、可視性、反射性、拭き取りやすさ、安定性、取り替えやすさ、及び塗り重ね適合性を評価した。
【０２１１】
取得した結果を表８に示す。加えて、図２３は、撮像光の照射のない、実施例２１のマーカー組成物を使用して製造された塗布具の状態と、実施例１８のマーカー組成物が塗布されている紙片と、の画像を示す。図２４は、撮像光の照射のある、実施例２１のマーカー組成物を使用して製造された塗布具の状態と、実施例１８のマーカー組成物が塗布されている紙片と、の画像を示す。加えて、図２５は、撮像光の照射のない、実施例１９のマーカー組成物を使用して製造された塗布具の状態と、実施例１９のマーカー組成物が塗布されている紙片と、の画像を示す。図２６は、撮像光の照射のある、実施例１９のマーカー組成物を使用して製造された塗布具の状態と、実施例１９のマーカー組成物が塗布されている紙片と、の画像を示す。加えて、図２７は、撮像光の照射のない、実施例２０のマーカー組成物を使用して製造された塗布具の状態と、実施例２０のマーカー組成物が塗布されている紙片と、の画像を示す。図２８は、撮像光の照射のある、実施例２０のマーカー組成物を使用して製造された塗布具の状態と、実施例２０のマーカー組成物が塗布されている紙片と、の画像を示す。図２３〜２８にある、実施例１８〜２０のマーカー組成物の複数の移動は、それぞれ同じ塗布具を使用して行った。可視性及び反射性に関して、塗布されたマーカー組成物を裸眼で観察した場合に取得した評価結果と、写真に基づいた評価結果との間には、本質的に相違はない。
【０２１２】
【表８】
2017534691.tif 000010
【０２１３】
次に、紙片の温度が４０℃、３０℃、２５℃、２０℃、又は４℃のときに、実施例１８〜２０の対応のマーカー組成物を白い紙片に３回ずつ塗布した。次に、実施例１５及び１６のものと同じ評価基準に従って、それぞれの温度における紙片上のマーカー組成物の塗布可能性を評価した。加えて、紙片上のマーカー組成物の状態を以下の基準で評価した。
【０２１４】
（紙片上のマーカー組成物の状態）
Ａ：マーカー組成物は固形である。
Ｂ：マーカー組成物はやや液体のようである。
【０２１５】
評価の結果を表９に示す。加えて、図２９は、撮像光の照射のない、実施例１８〜２０のマーカー組成物が塗布されている紙片の状態の画像を示す。図３０は、撮像光の照射のある、実施例１８〜２０のマーカー組成物が塗布されている紙片の状態の画像を示す。紙片の温度が３０℃、２５℃、２０℃、及び４℃のときに、実施例２０のマーカー組成物を紙片にごくわずかに移動した。実施例１８〜２０のそれぞれの温度での、図２９及び３０にあるマーカー組成物の複数の移動は、同一の対応の塗布具を使用して行った。
【０２１６】
【表９】
2017534691.tif 000011
【０２１７】
次に、スポンジを表１０に示すスポンジに変更することを除き、実施例１５及び１６の場合と同じ方法で、実施例１７のマーカー組成物を使用して塗布具セットを製造した。取得した塗布具セットの塗布具を使用して、マーカー組成物を紙片に塗布した。実施例１５及び１６の場合と同じ評価基準に従って、保持可能性、塗布可能性、及び安定性を評価した。取得した結果を表１０に示す。
【０２１８】
【表１０】
2017534691.tif 000012
【０２１９】
次に、スポンジを表１１に示すスポンジに変更することを除き、実施例１５及び１６の場合と同じ方法で、実施例２０のマーカー組成物を使用して塗布具セットを製造した。取得した塗布具セットの塗布具を使用して、マーカー組成物を紙片に塗布した。実施例１５及び１６の場合と同じ評価基準に従って、保持可能性、塗布可能性、及び安定性を評価した。取得した結果を表１１に示す。加えて、スポンジとしてＭＦ−２０、ＣＦＨ−４０、及びＭＦ−５０を有する塗布具を使用したときの、撮像光の照射のない、実施例２０のマーカー組成物が塗布された紙片の状態の画像を図３１に示し、撮像光の照射のある、実施例２０のマーカー組成物が塗布された紙片の状態の画像を図３２に示す。ここで、図３１及び３２では、上の段がＣＦＨ−４０の結果を示し、中央の段がＭＦ−２０の結果を示し、下の段レベルがＭＦ−５０の結果を示す。図３１及び３２にある、それぞれのスポンジを使用したときのマーカー組成物の複数の移動は、それぞれ同じ塗布具を使用して行った。
【０２２０】
【表１１】
2017534691.tif 000013
【０２２１】
［実施例２１〜３０］
＜マーカー組成物の調製＞
実施例２１〜３０では、ＵＢ−３５Ｍ（Ｕｎｉｔｉｋａ  Ｌｔｄ．、商標名）の７０質量部と、表１２に示す組成物を有する分散媒の３０質量部と、をそれぞれ含むマーカー組成物を調製した。表１２の材料それぞれのブレンド割合の単位は、重量部である。表１２の「ＰＥＧ＃６００」はポリエチレングリコール（Ｗａｋｏ  Ｐｕｒｅ  Ｃｈｅｍｉｃａｌ  Ｉｎｄｕｓｔｒｉｅｓ，Ｌｔｄ．製）であり、「ＰＰＧ＃１４００」はポリプロピレングリコール（Ｗａｋｏ  Ｐｕｒｅ  Ｃｈｅｍｉｃａｌ  Ｉｎｄｕｓｔｒｉｅｓ，Ｌｔｄ．製）である。加えて、実施例２１〜３０のマーカー組成物に含まれる分散媒のすべては、０〜６０℃の範囲内の流動点を有する。例えば、実施例２２のマーカー組成物に含まれる分散媒の流動点は、３８℃である。
【０２２２】
＜塗布具セットの製造、及びマーカー組成物の物理特性の評価＞
塗布具セットは、実施例２１〜３０の対応のマーカー組成物を使用して製造した。塗布具セットの製造手順は、スポンジをＭＦ−５５に変更することを除き、実施例１５及び１６の場合と同じである。次に、取得した塗布具セットの塗布具を使用して、実施例２１〜３０のマーカー組成物を白い紙片に塗布した。その後、実施例１５〜２０の場合と同じ評価基準に従って、マーカー組成物の反射性と、紙温度４０℃、３０℃、２５℃、２０℃、及び４℃での紙片上のマーカー組成物の状態と、を評価した。
【０２２３】
取得した結果を表１２に示す。加えて、図３３は、撮像光の照射のない、実施例２１〜２３のマーカー組成物が塗布されている紙片の状態の画像を示す。図３４は、撮像光の照射のある、実施例２１〜２３のマーカー組成物が塗布されている紙片の状態の画像を示す。加えて、図３５は、撮像光の照射のない、実施例２４〜２６のマーカー組成物が塗布されている紙片の状態の画像を示す。図３６は、撮像光の照射のある、実施例２４〜２６のマーカー組成物が塗布されている紙片の状態の画像を示す。加えて、図３７は、撮像光の照射のない、実施例２７〜３０のマーカー組成物が塗布されている紙片の状態の画像を示す。図３８は、撮像光の照射のある、実施例２７〜３０のマーカー組成物が塗布されている紙片の状態の画像を示す。図３３〜３８にある、それぞれの温度における実施例２１〜３０のマーカー組成物の複数の移動は、それぞれ同じ塗布具を使用して行った。塗布されたマーカー組成物を裸眼で観察したときに得られる評価結果と、写真に基づいた評価結果との間には、本質的に相違はない。
【０２２４】
次に、実施例２２のマーカー組成物を使用して、スポンジとしてＭＦ−５５又はＣＦＨ−４０を有する塗布具セットを、実施例１５及び１６の場合と同じ方法で取得した。取得した塗布具セットの塗布具を使用して、黒い紙片に５回ずつ組成物を塗布した。その後、実施例１５〜２０の場合と同じ評価基準に従って、マーカー組成物の反射性と、紙温度４０℃、３０℃、２５℃、２０℃、及び４℃での紙片上のマーカー組成物の状態と、を評価した。取得した結果を表１３に示す。加えて、スポンジとしてＭＦ−５５及びＣＦＨ−４０を有する塗布具を使用したときの、撮像光の照射のない、実施例２２のマーカー組成物を塗布した紙片の状態の画像を図３９に示し、撮像光の照射のある、実施例２２のマーカー組成物を塗布した紙片の状態の画像を図４０に示す。図３９及び４０にある、それぞれのスポンジをそれぞれの温度で使用したときのマーカー組成物の複数の移動は、それぞれ同じ塗布具を使用して行った。塗布されたマーカー組成物を裸眼で観察したときに得られる評価結果と、写真に基づいた評価結果との間には、本質的に相違はない。
【０２２５】
【表１２】
2017534691.tif 000014
【０２２６】
【表１３】
2017534691.tif 000015
【０２２７】
［実施例３１〜３４］
＜マーカー組成物の調製＞
実施例３１〜３４では、表１４に示す組成物を有するマーカー組成物を、ＵＢ−３５Ｍ（Ｕｎｉｔｉｋａ  Ｌｔｄ．製、商標名）と、表１２に示す実施例２２の分散媒と、を使用して調製した。表１４の材料それぞれのブレンド割合の単位は、重量部である。
【０２２８】
＜塗布具セットの製造、及びマーカー組成物の物理特性の評価＞
塗布具セットは、実施例３１〜３４の対応のマーカー組成物を使用して製造した。塗布具セットの製造手順は、スポンジをＣＦＨ−４０に変更することを除き、実施例１５及び１６の場合と同じである。このとき、マーカー組成物のスポンジの保持可能性は、実施例１５及び１６の場合と同じ評価基準に従って評価した。次に、取得した塗布具セットの塗布具の温度を４０℃、２５℃、又は４℃に設定し、実施例３１〜３４のマーカー組成物を紙片に塗布した。マーカー組成物の反射性は、実施例１５及び１６の場合と同じ評価基準に従って評価した。
【０２２９】
なお、取得した塗布具を使用して、実施例３１〜３４のマーカー組成物を２５℃でステンレス鋼（ＳＵＳ）の表面に塗布した。次に、ＳＵＳの表面からのマーカー組成物の拭き取りやすさを、実施例１５及び１６の場合と同じ評価基準に従って評価した。
【０２３０】
取得した結果を表１４に示す。
【０２３１】
【表１４】
2017534691.tif 000016
【０２３２】
［産業上の利用可能性］
本発明のマーカー組成物、及びマーカー組成物を使用したパッケージは、例えば、病院及びその他の施設における清掃度の判定に有用である。
【０２３３】
参照番号
１０．．．パッケージ
１２，２２マーカー組成物
１４，２４レシーバー部
１６陥凹部
１８レシーバー部
１９，４８，５８，６８，７８，８８蓋部
２０，３０，４０，５０，６０，７０，８０，１１０，１２０，１３０，１４０，１５０，１６０塗布具
２６，９０蓋本体
２８，３２，４２，５２，６２，７２，８２，１１２，１２２，１３２，１４２，１５２，１６２塗布具本体
２８ａ支持部
２８ｂ塗布部
２９保護本体
３４，４４，５４，６４，７４，８４，１１４，１２４，１３４，１４４，１５４，１６４保持本体
３４ａ雄ネジ部
３６，１１６，１２６，１３６，１４６，１５６，１６６蓋本体
３６ａ雌ネジ部
３８，４５，５５，６５，７５，８５，１１８，１２８，１３８，１４８，１５８，１６８封止構成部品
４６，５６，６６，７６，８６保持部
１００，２００塗布具セット
１７０固定部材
【図１】
2017534691.tif 000017
【図２】
2017534691.tif 000018
【図３】
2017534691.tif 000019
【図４】
2017534691.tif 000020
【図５】
2017534691.tif 000021
【図６】
2017534691.tif 000022
【図７】
2017534691.tif 000023
【図８】
2017534691.tif 000024
【図９】
2017534691.tif 000025
【図１０】
2017534691.tif 000026
【図１１】
2017534691.tif 000027
【図１２ａ】
2017534691.tif 000028
【図１２ｂ】
2017534691.tif 000029
【図１２ｃ】
2017534691.tif 000030
【図１２ｄ】
2017534691.tif 000031
【図１３】
2017534691.tif 000032
【図１４】
2017534691.tif 000033
【図１５】
2017534691.tif 000034
【図１６】
2017534691.tif 000035
【図１７】
2017534691.tif 000036
【図１８】
2017534691.tif 000037
【図１９】
2017534691.tif 000038
【図２０】
2017534691.tif 000039
【図２１】
2017534691.tif 000040
【図２２】
2017534691.tif 000041
【図２３】
2017534691.tif 000042
【図２４】
2017534691.tif 000043
【図２５】
2017534691.tif 000044
【図２６】
2017534691.tif 000045
【図２７】
2017534691.tif 000046
【図２８】
2017534691.tif 000047
【図２９】
2017534691.tif 000048
【図３０】
2017534691.tif 000049
【図３１】
2017534691.tif 000050
【図３２】
2017534691.tif 000051
【図３３】
2017534691.tif 000052
【図３４】
2017534691.tif 000053
【図３５】
2017534691.tif 000054
【図３６】
2017534691.tif 000055
【図３７】
2017534691.tif 000056
【図３８】
2017534691.tif 000057
【図３９】
2017534691.tif 000058
【図４０】
2017534691.tif 000059
【国際調査報告】
2017534691.tif 000060
2017534691.tif 000061
2017534691.tif 000062
2017534691.tif 000063
2017534691.tif 000064